(57)【要約】  主電源２１をＯＮ操作した場合に光源７１をＯＮし、設定時間記憶部２２ａ１に記憶された時間内にモーションセンサ１４が熱源の移動を検知した場合に光源７１のＯＮ状態を継続する一方、設定時間記憶部２２ａ１に記憶された時間内にモーションセンサ１４が熱源の移動を検知しない場合に光源をＯＦＦするので、観察者が標本を観察していない場合に光源７１を確実にＯＦＦできる。
2010027000.tif 000002
【特許請求の範囲】
【請求項１】
標本を載置するステージを備えた顕微鏡本体と、顕微鏡本体に設けられ、標本を照明するための照明光を射出する光源とを備えた顕微鏡において、
ＯＮ／ＯＦＦ操作可能な主電源と、
顕微鏡本体の前方域または側方域に検知対象が存在するか否かを検知する検知部と、
前記検知部の検知結果に基づいて検知対象が移動したか否かを判定する判定部と、
主電源をＯＮ操作した場合に光源をＯＮし、予め設定された時間内に前記判定部が検知対象が移動したと判定した場合に光源のＯＮ状態を継続する一方、予め設定された時間内に前記判定部が検知対象が移動しないと判定した場合に光源をＯＦＦする制御部と
を備えたことを特徴とする顕微鏡。
【請求項２】
前記検知部は、顕微鏡本体の基部を構成するベース部に取り付けられ、顕微鏡本体の前方斜め上方域を検知することを特徴とする請求項１に記載の顕微鏡。
【請求項３】
前記検知部は、顕微鏡本体の基部を構成するベース部の側部に取り付けられ、顕微鏡本体の側方域を検知することを特徴とする請求項１または２に記載の顕微鏡。
【請求項４】
前記制御部は、主電源をＯＮ操作した時に予め設定された時間までの時間の計測を開始し、前記判定部が検知対象が移動したと判定した場合に前記時間の計測を初めから開始することを特徴とする請求項１〜３のいずれか一つに記載の顕微鏡。
【請求項５】
前記制御部は、光源をＯＦＦした場合にそのＯＦＦ状態を維持することを特徴とする請求項１〜４のいずれか一つに記載の顕微鏡。
【請求項６】
前記検知部は、温度差を有する熱源を検知対象とすることを特徴とする請求項１〜５のいずれか一つに記載の顕微鏡。
【請求項７】
前記検知部は、温度差を有する熱源から放射された赤外線が入射するモーションセンサと、モーションセンサの赤外線入射方向前方に設けられ、入射する赤外線を減衰させる減光部材とを備えたことを特徴とする請求項１〜６のいずれか一つに記載の顕微鏡。
【請求項８】
前記モーションセンサは、第１のレンズ部材と、該第１のレンズ部材よりも焦点距離が短く、該第１のレンズよりも視野が広い第２のレンズのいずれか一方を交換可能に装着したことを特徴とする請求項７に記載の顕微鏡。
【請求項９】
標本を照明するための照明光を射出する光源と、
近傍に検知対象が存在するか否かを検知する検知部と、
観察に適した光量の前記照明光を射出するＯＮ状態、前記ＯＮ状態に対して光量が抑制された前記照明光を射出する待機状態、前記照明光を射出しないＯＦＦ状態、のいずれかの状態に前記光源を制御する制御部と、を含み、
前記制御部は、
前記光源が前記ＯＮ状態に制御されている時間を測定する時間計測部を含み、
前記検知部が前記検知対象の存在を検知した場合は、前記光源を前記ＯＮ状態に制御し、
前記検知部が前記検知対象の不在を検知した場合で、且つ、前記光源が第１の時間未満の間、前記ＯＮ状態に制御されている場合は、前記光源を前記ＯＦＦ状態に制御することを特徴とする顕微鏡。
【請求項１０】
前記制御部は、前記検知部が前記検知対象の不在を検知した場合で、且つ、前記光源が前記第１の時間以上の間、前記ＯＮ状態に制御されている場合は、前記光源を前記待機状態に制御することを特徴とする請求項９に記載の顕微鏡。
【請求項１１】
前記時間計測部は、さらに、前記光源が前記待機状態に制御されている時間を計測し、
前記制御部は、前記光源が第２の時間以上の間、前記待機状態に制御されている場合、前記光源を前記ＯＦＦ状態に制御することを特徴とする請求項９または１０に記載の顕微鏡。
【請求項１２】
標本を照明するための照明光を射出する光源と、
観察操作により動作する観察部と、
近傍に検知対象が存在するか否かを検知する第１の検知部と、
前記観察部の動作を検知する第２の検知部と、
前記光源を、観察に適した光量の前記照明光を射出するＯＮ状態、前記ＯＮ状態に対して光量が抑制された前記照明光を射出する待機状態、前記照明光を射出しないＯＦＦ状態、のいずれかの状態に制御する制御部と、を含み、
前記制御部は、
前記光源が待機状態に制御されている時間を測定する時間計測部を含み、
前記光源が前記ＯＦＦ状態に制御されているときに、前記第１の検知部が第１の時間未満の間、前記検知対象の存在を検知した場合は、前記第１の検知部が検知対象を検知している期間に限り、前記光源を前記待機状態に制御し、
前記光源が前記ＯＦＦ状態に制御されているときに、前記第１の検知部が前記検知対象の存在を検知してから前記第１の時間内に、前記第２の検知部が前記観察部の動作を検知した場合は、前記光源を、前記検知対象の存在の検知後で前記観察部の動作前は前記待機状態に、前記観察部の動作後は前記ＯＮ状態に制御することを特徴とする顕微鏡。
【請求項１３】
前記制御部は、前記光源が前記ＯＦＦ状態に制御されているときに、前記第１の検知部が前記第１の時間以上の間、前記検知対象の存在を検知した場合は、前記光源を、前記検知対象の存在の検知後で前記第１の時間経過前は前記待機状態に、前記第１の時間経過後は前記ＯＮ状態に制御することを特徴とする請求項１２に記載の顕微鏡。
【請求項１４】
前記制御部は、前記光源が前記ＯＮ状態から前記待機状態に制御された後に、第２の時間以上の間、前記待機状態に制御されている場合、前記光源を前記ＯＦＦ状態に制御することを特徴とする請求項１２または請求項１３に記載の顕微鏡。
【請求項１５】
前記観察部は、前記標本を配置するためのステージであることを特徴とする請求項１２〜１４のいずれか一つに記載の顕微鏡。
【請求項１６】
さらに、前記標本を観察するための複数の対物レンズを含み、
前記観察部は、前記対物レンズを切り替えるレボルバであることを特徴とする請求項１２〜１４のいずれか一つに記載の顕微鏡。
【請求項１７】
前記観察部は、前記標本に合焦するための焦準部であることを特徴とする請求項１２〜１４のいずれか一つに記載の顕微鏡。
【請求項１８】
前記観察部は、前記照明光を調整するためのフィルタキューブであることを特徴とする請求項１２〜１４のいずれか一つに記載の顕微鏡。
【請求項１９】
標本を照明するための照明光を射出する光源と、
近傍に検知対象が存在するか否かを検知する第３の検知部と、
前記第３の検知部に比べて広い範囲で検知対象が存在するか否かを検知する第４の検知部と、
前記光源を、観察に適した光量の前記照明光を射出するＯＮ状態、前記ＯＮ状態に対して光量が抑制された前記照明光を射出する待機状態、前記照明光を射出しないＯＦＦ状態、のいずれかの状態に制御する制御部と、を含み、
前記制御部は、
前記第３の検知部及び前記第４の検知部が前記検知対象の存在を検知した場合は、前記光源をＯＮ状態に制御し、
前記第４の検知部のみが前記検知対象の存在を検知した場合は、前記光源を待機状態
に制御し、
前記第３の検知部及び前記第４の検知部が前記検知対象の不在を検知した場合は、前記光源をＯＦＦ状態に制御することを特徴とする顕微鏡。
【請求項２０】
標本を照明するための照明光を射出する光源と、
検知対象が存在するか否かを検知する検知部と、
前記光源を、観察に適した光量の前記照明光を射出するＯＮ状態、前記ＯＮ状態に対して光量が抑制された前記照明光を射出する待機状態、前記照明光を射出しないＯＦＦ状態、のいずれかの状態に制御する制御部と、を含む顕微鏡の制御方法であって、
前記検知部が検知対象の不在を検知したとき、前記光源を、前記待機状態を経て前記ＯＦＦ状態に遷移する動作と、
前記検知部が検知対象の存在を検知したとき、前記光源を、前記待機状態を経てＯＮ状態に遷移する動作と、
前記検知部が検知対象の存在を検知したとき、前記光源を、前記ＯＮ状態に遷移し、その後、一定期間内に前記検知部が検知対象の不在を検知したとき、前記光源を、前記ＯＦＦ状態に遷移する動作と、
の少なくとも１つの動作を行わせることを特徴とする顕微鏡の制御方法。
【請求項２１】
標本を照明するための照明光を射出する光源と、
検知対象が存在するか否かを検知する存在検知部と、
観察操作を検知する操作検知部と、
前記光源を、観察に適した光量の前記照明光を射出するＯＮ状態、前記ＯＮ状態に対して光量が抑制された前記照明光を射出する待機状態、前記照明光を射出しないＯＦＦ状態、のいずれかの状態に制御する制御部と、を含む顕微鏡の制御方法であって、
前記制御部は、
前記存在検知部が検知対象の不在を検知したとき、前記光源を、前記待機状態を経て前記ＯＦＦ状態に遷移する動作と、
前記存在検知部が検知対象の存在を検知したとき、前記光源を、前記待機状態に遷移し、その後、前記操作検知部が観察操作を検知したとき、前記光源を、前記ＯＮ状態に遷移する動作と、
前記存在検知部が検知対象の存在を検知したとき、前記光源を、前記待機状態に遷移し、その後、一定期間内に前記存在検知部が検知対象の不在を検知したとき、前記光源を、前記ＯＦＦ状態に遷移する動作と、の少なくとも１つの動作を行わせることを特徴とする顕微鏡の制御方法。
【発明の詳細な説明】
【技術分野】
【０００１】
本発明は、顕微鏡及び顕微鏡の制御方法に関するものであって、特に、標本を照明するための照明光を射出する光源を備えた顕微鏡及び標本を照明するための照明光を射出する光源を制御する顕微鏡の制御方法に関する。
【背景技術】
【０００２】
鏡筒に光反射型のセンサを取り付け、照明光を射出する光源をＯＮあるいはＯＦＦする顕微鏡が提案されている。この顕微鏡はセンサが観察者を検知した場合に光源をＯＮし、センサから観察者が遠ざかり観察者を検知できなくなった場合に光源をＯＦＦする。この顕微鏡によれば、観察者が標本を観察していないときには光源がＯＦＦされるので、照明光により標本が損傷したり、電力を浪費したりすることはない（例えば、特許文献１参照）。【０００３】
一方、電動ステージ、電動レボルバ、光源などの電動装置と、電動装置を制御する電動制御装置と、電動装置を制御する操作スイッチとを備えた顕微鏡が提案されている。電動制御装置には、操作確認用タイマーが含まれ、電動装置が所定時間動作しない場合に光源をＯＦＦする。この顕微鏡によれば、電動装置が所定時間動作しない場合には、光源がＯＦＦされるので、照明光により標本が損傷したり、電力を浪費したりすることがない（例えば、特許文献２参照）。
【先行技術文献】
【特許文献】
【０００４】
【特許文献１】特開平７−３１８８０７号公報
【特許文献２】特開２００６−１９５２７４号公報
【発明の概要】
【発明が解決しようとする課題】
【０００５】
しかしながら、特許文献１に記載された顕微鏡は、観察者以外の物体に光が反射した場合でも観察者を検知したと誤認するので、観察者が標本を観察していない場合でも光源がＯＮされ、標本を損傷したり、電力を浪費したりする場合があった。【０００６】
特許文献２に記載された顕微鏡は、センサにより観察者を検知するものではないので、観察者を検知したと誤認することはないが、電動ステージ、電動レボルバなどの電動装置と、電動装置を制御する電動制御装置と、電動装置を制御する操作スイッチとを備えるため、高額なものとなり、安価な顕微鏡には適用することができない。【０００７】
また、特許文献１及び特許文献２に記載された顕微鏡の光源はＯＮ／ＯＦＦのいずれかの状態に制御される。このため、光源の電源が完全に切られているＯＦＦ状態からＯＮ状態への復帰にあたり一定の待ち時間が生じることとなり、顕微鏡の操作性に悪影響を及ぼしていた。【０００８】
本発明は、上記に鑑みてなされたものであって、ステージやレボルバなどが手動で操作される安価な顕微鏡において、観察者が標本を観察していない場合に確実に光源をＯＦＦできる顕微鏡を提供することを目的とする。【０００９】
また、観察再開時における操作性を改善した顕微鏡及び顕微鏡の制御方法を提供することにある。
【課題を解決するための手段】
【００１０】
上述した課題を解決し、目的を達成するために、本発明は、標本を載置するステージを備えた顕微鏡本体と、顕微鏡本体に設けられ、標本を照明するための照明光を射出する光源とを備えた顕微鏡において、ＯＮ／ＯＦＦ操作可能な主電源と、顕微鏡本体の前方域または側方域に検知対象が存在するか否かを検知する検知部と、前記検知部の検知結果に基づいて検知対象が移動したか否かを判定する判定部と、主電源をＯＮ操作した場合に光源をＯＮし、予め設定された時間内に前記判定部が検知対象が移動したと判定した場合に光源のＯＮ状態を継続する一方、予め設定された時間内に前記判定部が検知対象が移動しないと判定した場合に光源をＯＦＦする制御部とを備えたことを特徴とする。【００１１】
また、本発明は、上記発明において、前記検知部は、顕微鏡本体の基部を構成するベース部に取り付けられ、顕微鏡本体の前方斜め上方域を検知することを特徴とする。【００１２】
また、本発明は、上記発明において、前記検知部は、顕微鏡本体の基部を構成するベース部の側部に取り付けられ、顕微鏡本体の側方域を検知することを特徴とする。【００１３】
また、本発明は、上記発明において、前記制御部は、主電源をＯＮ操作した時に予め設定された時間までの時間の計測を開始し、前記判定部が検知対象が移動したと判定した場合に前記時間の計測を初めから開始することを特徴とする。【００１４】
また、本発明は、上記発明において、前記制御部は、光源をＯＦＦした場合にそのＯＦＦ状態を維持することを特徴とする。【００１５】
また、本発明は、上記発明において、前記検知部は、温度差を有する熱源を検知対象とすることを特徴とする。【００１６】
また、本発明は、上記発明において、前記検知部は、温度差を有する熱源から放射された赤外線が入射するモーションセンサと、モーションセンサの赤外線入射方向前方に設けられ、入射する赤外線を減衰させる減光部材とを備えたことを特徴とする。【００１７】
また、本発明は、上記発明において、前記モーションセンサは、第１のレンズ部材と、該第１のレンズ部材よりも焦点距離が短く、該第１のレンズよりも視野が広い第２のレンズのいずれか一方を交換可能に装着したことを特徴とする。【００１８】
本発明は、標本を照明するための照明光を射出する光源と、近傍に検知対象が存在するか否かを検知する検知部と、観察に適した光量の照明光を射出するＯＮ状態、ＯＮ状態に対して光量が抑制された照明光を射出する待機状態、照明光を射出しないＯＦＦ状態、のいずれかの状態に光源を制御する制御部と、を含み、制御部は、光源がＯＮ状態に制御されている時間を測定する時間計測部を含み、検知部が検知対象の存在を検知した場合は、光源をＯＮ状態に制御し、検知部が検知対象の不在を検知した場合で、且つ、光源が第１の時間未満の間、ＯＮ状態に制御されている場合は、光源をＯＦＦ状態に制御することを特徴とする。【００１９】
また、本発明は、上記発明において、制御部は、検知部が検知対象の不在を検知した場合で、且つ、光源が第１の時間以上の間、ＯＮ状態に制御されている場合は、光源を待機状態に制御することを特徴とする。【００２０】
また、本発明は、上記発明において、時間計測部は、さらに、光源が待機状態に制御されている時間を計測し、制御部は、光源が第２の時間以上の間、待機状態に制御されている場合、光源をＯＦＦ状態に制御することを特徴とする。【００２１】
また、本発明は、標本を照明するための照明光を射出する光源と、観察操作により動作する観察部と、近傍に検知対象が存在するか否かを検知する第１の検知部と、観察部の動作を検知する第２の検知部と、光源を、観察に適した光量の照明光を射出するＯＮ状態、ＯＮ状態に対して光量が抑制された照明光を射出する待機状態、照明光を射出しないＯＦＦ状態、のいずれかの状態に制御する制御部と、を含み、制御部は、光源が待機状態に制御されている時間を測定する時間計測部を含み、光源がＯＦＦ状態に制御されているときに、第１の検知部が第１の時間未満の間、検知対象の存在を検知した場合は、第１の検知部が検知対象を検知している期間に限り、光源を待機状態に制御し、光源がＯＦＦ状態に制御されているときに、第１の検知部が検知対象の存在を検知してから第１の時間内に、第２の検知部が観察部の動作を検知した場合は、光源を、検知対象の存在の検知後で観察部の動作前は待機状態に、観察部の動作後はＯＮ状態に制御することを特徴とする。【００２２】
また、本発明は、上記発明において、制御部は、光源がＯＦＦ状態に制御されているときに、第１の検知部が第１の時間以上の間、検知対象の存在を検知した場合は、光源を、検知対象の存在の検知後で第１の時間経過前は待機状態に、第１の時間経過後はＯＮ状態に制御することを特徴とする。【００２３】
また、本発明は、上記発明において、制御部は、光源がＯＮ状態から待機状態に制御された後に、第２の時間以上の間、待機状態に制御されている場合、光源をＯＦＦ状態に制御することを特徴とする。【００２４】
また、本発明は、上記発明において、観察部は、標本を配置するためのステージであることを特徴とする。【００２５】
また、本発明は、上記発明において、さらに、標本を観察するための複数の対物レンズを含み、観察部は、対物レンズを切り替えるレボルバであることを特徴とする。【００２６】
また、本発明は、上記発明において、観察部は、標本に合焦するための焦準部であることを特徴とする。【００２７】
また、本発明は、上記発明において、観察部は、照明光を調整するためのフィルタキューブであることを特徴とする。【００２８】
本発明は、標本を照明するための照明光を射出する光源と、近傍に検知対象が存在するか否かを検知する第３の検知部と、第３の検知部に比べて広い範囲で検知対象が存在するか否かを検知する第４の検知部と、光源を、観察に適した光量の照明光を射出するＯＮ状態、ＯＮ状態に対して光量が抑制された照明光を射出する待機状態、照明光を射出しないＯＦＦ状態、のいずれかの状態に制御する制御部と、を含み、制御部は、第３の検知部及び第４の検知部が検知対象の存在を検知した場合は、光源をＯＮ状態に制御し、第４の検知部のみが検知対象の存在を検知した場合は、光源を待機状態に制御し、第３の検知部及び第４の検知部が検知対象の不在を検知した場合は、光源をＯＦＦ状態に制御することを特徴とする。【００２９】
本発明は、標本を照明するための照明光を射出する光源と、検知対象が存在するか否かを検知する検知部と、光源を、観察に適した光量の照明光を射出するＯＮ状態、ＯＮ状態に対して光量が抑制された照明光を射出する待機状態、照明光を射出しないＯＦＦ状態、のいずれかの状態に制御する制御部と、を含む顕微鏡の制御方法であって、制御部は、検知部が検知対象の不在を検知したとき、光源を、待機状態を経てＯＦＦ状態に遷移する動作と、検知部が検知対象の存在を検知したとき、光源を、待機状態を経てＯＮ状態に遷移する動作と、検知部が検知対象の存在を検知したとき、光源を、ＯＮ状態に遷移し、その後、一定期間内に検知部が検知対象の不在を検知したとき、光源を、ＯＦＦ状態に遷移する動作と、の少なくとも１つの動作を行わせることを特徴とする。【００３０】
本発明は、標本を照明するための照明光を射出する光源と、検知対象が存在するか否かを検知する存在検知部と、観察操作を検知する操作検知部と、光源を、観察に適した光量の照明光を射出するＯＮ状態、ＯＮ状態に対して光量が抑制された照明光を射出する待機状態、照明光を射出しないＯＦＦ状態、のいずれかの状態に制御する制御部と、を含む顕微鏡の制御方法であって、制御部は、存在検知部が検知対象の不在を検知したとき、光源を、待機状態を経てＯＦＦ状態に遷移する動作と、存在検知部が検知対象の存在を検知したとき、光源を、待機状態に遷移し、その後、操作検知部が観察操作を検知したとき、光源を、ＯＮ状態に遷移する動作と、存在検知部が検知対象の存在を検知したとき、光源を、待機状態に遷移し、その後、一定期間内に存在検知部が検知対象の不在を検知したとき、光源を、ＯＦＦ状態に遷移する動作と、の少なくとも１つの動作を行わせることを特徴とする。
【発明の効果】
【００３１】
本発明にかかる顕微鏡は、主電源をＯＮ操作した場合に光源をＯＮし、予め設定された時間内に検知対象が移動したと判定した場合に光源のＯＮ状態を継続する一方、予め設定された時間内に検知対象が移動しないと判定した場合に光源をオフする。観察者が顕微鏡を操作している場合には検知対象（観察者）が移動するので、検知対象が移動したと判定され、光源のＯＮ状態が継続される。したがって、観察に支障が生じることはない。一方、観察者以外の検知対象は移動することがないので、検知対象が移動しないと判定され、予め設定された時間が経過すると光源がオフされる。したがって、標本が損傷することもなければ、電力を浪費することもない。【００３２】
また、本発明にかかる顕微鏡は、省電力化と標本の損傷防止を実現しながら、観察再開時における顕微鏡の操作性を改善することができる。
【図面の簡単な説明】
【００３３】
【図１】図１は、本発明の実施の形態１に係る顕微鏡を示す側面図である。
【図２】図２は、本発明の実施の形態１に係る顕微鏡を示す平面図である。
【図３−１】図３−１は、図１に示した顕微鏡本体に内蔵された基板を示す概念図である。
【図３−２】図３−２は、本発明の実施の形態１に係る顕微鏡の電気的構成を示すブロック図である。
【図４】図４は、図１に示した顕微鏡のベース部を示す外観図である。
【図５−１】図５−１は、モーションセンサの正面図である。
【図５−２】図５−２は、図５−１に示したモーションセンサの平面図である。
【図５−３】図５−３は、図５−１に示したモーションセンサのＡ−Ａ断面図である。
【図６−１】図６−１は、モーションセンサの検出範囲を示す側面図である。
【図６−２】図６−２は、図６−１に示した検出範囲のＢ−Ｂ矢視図である。
【図７】図７は、顕微鏡の光源を制御する制御手順を示したフローチャートである。
【図８】図８は、本発明の実施の形態４に係る顕微鏡の構成を例示した図である。
【図９】図９は、本発明の実施の形態４に係る顕微鏡における光源への電力供給の制御について例示した図である。
【図１０】図１０は、本発明の実施の形態４に係る顕微鏡における光源への電力供給の制御の変形例について例示した図である。
【図１１】図１１は、本発明の実施の形態４に係る顕微鏡における光源への電力供給の制御について例示したフローチャートである。
【図１２】図１２は、本発明の実施の形態５に係る顕微鏡の構成を例示した図である。
【図１３】図１３は、本発明の実施の形態５に係る顕微鏡における光源への電力供給の制御について例示した図である。
【図１４】図１４は、本発明の実施の形態５に係る顕微鏡における光源への電力供給の制御について例示したフローチャートである。
【図１５】図１５は、本発明の実施の形態６に係る顕微鏡の構成を例示した図である。
【図１６】図１６は、本発明の実施の形態６に係る顕微鏡における光源への電力供給の制御について例示した図である。
【図１７】図１７は、本発明の実施の形態６に係る顕微鏡における光源への電力供給の制御について例示したフローチャートである。
【図１８】図１８は、本発明の実施の形態７に係る顕微鏡の構成を例示した図である。
【発明を実施するための形態】
【００３４】
以下に、本発明にかかる顕微鏡及び顕微鏡の制御方法の実施の形態を図面に基づいて詳細に説明する。なお、この実施の形態によりこの発明が限定されるものではない。
【００３５】
（実施の形態１）
まず、図１及び図２に基づいて、本発明の実施の形態１に係る顕微鏡について説明する。なお、図１は、本発明の実施の形態１に係る顕微鏡を示す側面図であり、図２は、本発明の実施の形態１に係る顕微鏡を示す平面図である。
【００３６】
図１及び図２に示すように、本発明の実施の形態１に係る顕微鏡は、標本を上方から観察する成立型顕微鏡であって、顕微鏡本体２、ステージ３、焦準部４Ｒ，４Ｌ、照明光学系、観察光学系を備えている。
【００３７】
図１に示すように、顕微鏡本体２は、水平方向に延在するベース部２ａと、ベース部２ａの後部から鉛直方向に延在する胴部２ｂと、胴部２ｂの上部から水平方向前方に延在するアーム部２ｃとを有し、側面視コの字状を呈している。
【００３８】
胴部２ｂの前面には、ステージ台３１が昇降可能に取り付けてある。ステージ台３１には、上述したステージ３が取り付けてあり、ステージ３は、ステージ台３１とともに昇降する。また、顕微鏡本体２の右側面であって、ベース部２ａの後部となる部位には、上述した焦準部４Ｒが回転操作可能に取り付けてある。焦準部４Ｒは、ステージ３を昇降させるためのもので、焦準部４Ｒとステージ台３１とは、顕微鏡本体２に内蔵されたラックアンドピニオン機構（図示せず）により接続されている。したがって、焦準部４Ｒを回転操作すると、ステージ３の上面が水平を維持した状態で昇降する。
【００３９】
図２に示すように、顕微鏡本体２の左側面であって、ベース部２ａの後部となる部位には上述した焦準部４Ｌが回転操作可能に取り付けてある。この焦準部４Ｌは、上述した右側面の焦準部４Ｒと同一軸に取り付けてあり、この焦準部４Ｌを回転操作するとステージ３が昇降するとともに右側面の焦準部４Ｒが回転する。同様に、右側面の焦準部４Ｒを回転操作した場合には、この焦準部（左側面の焦準部）４Ｌが回転する。
【００４０】
図１に示すように、ステージ３は、その上面が左右方向（Ｘ方向）及び前後方向（Ｙ方向）に移動可能であって、ステージ３の右下には、ステージハンドル５が回転操作可能に取り付けてある。ステージハンドル５は、ステージ３を左右方向（Ｘ方向）及び前後方向（Ｙ方向）に移動させるためのもので、ステージハンドル５を回転操作すると、ステージ３が任意の位置に移動する。
【００４１】
また、ステージ３は、その上面が平坦であって、標本が入ったスライドガラスＧが載置可能である。ステージ３には、スライドガラスＧが落下しない程度の開口（透孔）（図示せず）が設けてあり、照明光が通過可能である。
【００４２】
また、ステージ３の下面には、コンデンサ６が昇降可能に取り付けてある。コンデンサ６は、左右方向（Ｘ方向）及び前後方向（Ｙ方向）に移動させることにより、芯出しが可能である。
【００４３】
顕微鏡本体２の後部には、ランプハウス７が取り付けてある。ランプハウス７には、光源７１（図３参照）が内蔵してあり、光源７１からベース部２ａの前方部に向けて照明光が射出する。なお、光源７１としては、例えば、ハロゲンランプやＬＥＤ光源を用いることができる。また、ベース部２ａの前方部内部には、ミラー（図示せず）が配設してある。ミラーは、光源７１から射出された照明光の進行方向を９０度変えるためのもので、進行方向が変えられた光は、コンデンサ６及び開口を通ってステージ３に載置された標本に照射される。したがって、これら、光源７１、ミラー及びコンデンサ６は、上述した照明光学系を構成する。
【００４４】
アーム部２ｃの先端下面には、レボルバ本体８０が取り付けてあり、レボルバ本体８０には、レボルバ８が回転可能に取り付けてある。レボルバ８は、対物レンズ８１を切り換えるためのもので、複数の対物レンズ８１が装着可能となっている。そして、レボルバ８を回転させると、倍率が異なる対物レンズ８１が選択的に光軸上に配置される。
【００４５】
アーム部２ｃの先端上面には、鏡筒９が取り付けてあり、鏡筒９には、接眼レンズ９１が取り付けてある。そして、標本から出射した観察像は、上述した対物レンズ８１を通った後、鏡筒９を通って結像し、接眼レンズ９１を覗くことにより、観察される。
【００４６】
また、鏡筒９には、光路切り換え機構（図示せず）が内蔵されている。光路切り換え機構は、光路を切り換えるためのもので、接眼レンズ９１からカメラＣへ光路が切り換え可能である。そして、カメラＣに光路が切り替わると、カメラＣで撮影された画像がカメラＣに接続されたパソコンの画面に拡大表示される。したがって、これら、対物レンズ８１、鏡筒９、光路切り換え機構及び接眼レンズ９１は、上述した観察光学系を構成する。
【００４７】
また、胴部２ｂの右側面には、主電源２１が配設してある。主電源２１は、顕微鏡への電力供給を開始あるいは停止するためのシーソー型のスイッチであり、主電源２１をＯＮ操作すると、商用電源から顕微鏡への電力供給が開始され、主電源２１をＯＦＦ操作すると商用電源から顕微鏡への電力供給が遮断される。
【００４８】
図３−１に示すように、主電源２１には、制御基板２２が接続してあり、制御基板２２には、センサ基板２３と光源７１とが接続されている。
【００４９】
図４に示すように、センサ基板２３は、ベース部２ａの前面と上面との境界部分に斜めに取り付けられ、センサ基板の前面は、操作パネル２０により覆われている。操作パネル２０は、ベース部２ａの前面と上面との境界部分を塞ぐように取り付けてあり、前方から後方に向けて漸次高くなるように斜め４５度に傾斜している。したがって、操作パネル２０は、接眼レンズ９１を覗いた観察者の顔面と対向する。
【００５０】
センサ基板２３には、調光ダイヤル１１、自動消灯切換スイッチ１２、自動消灯モード表示部１３、モーションセンサ１４、照明状態表示部１５が取り付けてある。
【００５１】
図４に示すように、調光ダイヤル１１は、回転操作式の調整装置であって、センサ基板２３の略中央に取り付けられ、操作パネル２０の中央に表出している。
【００５２】
自動消灯切換スイッチ１２は、調光ダイヤル１１の左隣りに位置するようにセンサ基板２３に取り付けられ、操作パネル２０から表出している。自動消灯切換スイッチ１２は、自動消灯モードを設定するためのスイッチで、ＯＮ／ＯＦＦ操作可能である。
【００５３】
自動消灯モード表示部１３は、自動消灯切換スイッチ１２の上方に位置するようにセンサ基板２３に取り付けられ、操作パネル２０の自動消灯モード表示部１３の前方となる部分には「ＥＣＯ」の文字が印刷されている。自動消灯モード表示部１３は、点灯可能であって、自動消灯モード表示部１３が点灯すると「ＥＣＯ」の文字が浮き上がり、自動消灯モード表示部１３を消灯すると「ＥＣＯ」の文字が目立たなくなる。
【００５４】
モーションセンサ１４は、調光ダイヤル１１の右斜め上方に位置するようにセンサ基板２３に取り付けられている。そして、操作パネル２０のモーションセンサ１４の前方となる部分には透孔２０ａが設けてある。モーションセンサ１４は、顕微鏡の前方斜め上方域の温度差を有する熱源の移動を検知するもので、より具体的には、前方斜め上方約２０度から９０度の範囲、前方左右方向に１００度（中心から左方向と右方向にそれぞれ５０度）の範囲の熱源の移動を検知する。なお、観察者（特に顔面または首）も温度差を有する熱源を構成するので、観察者が接眼レンズ９１を覗いた場合、接眼レンズ９１を覗いている観察者に何らかの動きがあった場合には熱源が移動し、その移動をモーションセンサ１４が検知する。したがって、観察者が標本を観察している場合にはモーションセンサ１４がその動きを検知する。
【００５５】
図５に示すように、モーションセンサ１４は、赤外線の変化を検知する焦電型の赤外線センサで、センサモジュール１４ａとレンズ部材１４ｂとにより構成されている。センサモジュール１４ａは、温度差を有する熱源から放射された赤外線を検知し、検知した熱源が移動したか否かを判定する。
【００５６】
図３−２に示すように、センサモジュール１４ａは、４つの受熱素子１４ａ１と判定部１４ａ２及び出力部１４ａ３を備えている。受熱素子１４ａ１は、赤外線の変化を検出するもので、検出された赤外線の変化は判定部１４ａ２に入力される。判定部１４ａ２は、４つの受熱素子から入力された赤外線の変化に基づいて熱源が移動したか否かを判定し、熱源が移動したと判定された場合に出力部１４ａ３から信号（モーション有り）を出力する。
【００５７】
図５−１に示すように、レンズ部材１４ｂには、複数の単焦点レンズ（マイクロレンズ）１４ｂ１が形成してあり、これらは複数の光軸を有している。したがって、モーションセンサ１４の検出エリアには、マイクロレンズ１４ｂ１の数と受熱素子１４ａ１の数とを積算した数の検出ゾーンが画成され、いずれかの検出ゾーンに熱源があると受熱素子１４ａ１に赤外線が照射される。
【００５８】
レンズ部材１４ｂは、センサモジュール１４ａに交換可能に装着されており、装着されたレンズ部材１４ｂによって検出距離が決定する。例えば、基準となる第１のレンズ部材を装着することもできれば、第１のレンズ部材よりも焦点距離が短く視野の広い第２のレンズ部材を装着することもできるし、第１のレンズ部材よりも焦点距離が長く視野の狭い第３のレンズ部材を装着することもできる。
【００５９】
図５−２に示すように、例えば、レンズ部材１４ｂに６つのマイクロレンズ１４ｂ１が形成してあり、上述したように受熱素子１４ａ１が４つである場合には、図６−２に示すように、２４（６×４）の検出ゾーン１４ｃで熱源の移動を検出することになる。また、このレンズ部材１４ｂを装着したモーションセンサ１４において、モーションセンサの先端から３００ｍｍ離れた位置の検出エリアにおける一つの検出ゾーンは、４０ｍｍ×４０ｍｍとなる。
【００６０】
なお、受熱素子１４ａ１は、赤外線の変化を検出するので、検出エリアに赤外線を放射する熱源があるだけではモーションセンサ１４は信号を出力することがない。
【００６１】
図４に示すように、透孔２０ａには、減光部材２４が嵌め込んである。減光部材２４は、モーションセンサ１４の赤外線入射方向前方に取り付けられている。減光部材２４は、入射する赤外線を減衰させるもので、接眼レンズ９１を覗く観察者の動作の検知に好適な減光部材２４を嵌め込んでいる。
【００６２】
照明状態表示部１５は、調光ダイヤル１１の上方に位置するようにセンサ基板２３に取り付けられ、操作パネル２０を透過して視認される。照明状態表示部１５は、「緑色で点灯」「赤色で点灯」「消灯」の三つの状態を表すことができる。「緑色で点灯」している場合は光源７１のＯＮ状態が継続していることを意味し、「赤色で点灯」している場合は光源７１がＯＦＦしていることを意味する。そして「消灯」は主電源２１がＯＦＦ状態となっていることを意味する。
【００６３】
制御基板２２には、制御部２２ａが設けてある。
図３−２に示すように、制御部２２ａは、光源７１を制御するもので、光源７１のほか、上述した主電源２１、調光ダイヤル１１、自動消灯切換スイッチ１２、自動消灯モード表示部１３、モーションセンサ１４、照明状態表示部１５が接続してある。
【００６４】
制御部２２ａは、自動消灯切換スイッチ１２がＯＮ操作されると、自動消灯モード表示部１３を点灯し、ＯＦＦ操作されると自動消灯モード表示部１３を消灯する。また、制御部２２ａは、自動消灯切換スイッチ１２がＯＮ、光源７１がＯＮの場合に自動消灯モード表示部１３を緑色で点灯し、自動消灯切換スイッチ１２がＯＮの時、モーションセンサ１４の信号により、光源７１がＯＦＦされた場合に自動消灯モード表示部１３を赤色で点灯する。
【００６５】
また、制御部２２ａは、設定時間記憶部２２ａ１、時間計測部２２ａ２、光源制御部２２ａ３を有している。
【００６６】
設定時間記憶部２２ａ１には、予め設定された時間が記憶されている。予め設定された時間は、観察者が顕微鏡から離れてから光源７１をＯＦＦするまでの時間であり、本実施の形態では１８００秒（３０分）が記憶されている。
【００６７】
時間計測部２２ａ２は、経過時間を計測するもので、主電源２１をＯＮ操作した時に計測を開始するとともに、設定時間記憶部２２ａ１に記憶された時間内にモーションセンサ１４から信号（モーション有り）が入力された場合に初めから経過時間の計測を開始する。
【００６８】
光源制御部２２ａ３は、光源７１のＯＮ／ＯＦＦ制御のほか、照明光の強度を制御するもので、主電源２１をＯＮ操作した時に光源７１をＯＮし、主電源２１をＯＦＦ操作した時に光源７１をＯＦＦする。また、自動消灯切換スイッチ１２がＯＮとなっている場合において、設定時間記憶部２２ａ１に記憶された時間内にモーションセンサ１４から信号（モーション有り）が入力された場合には光源７１のＯＮ状態を継続する。一方、設定時間記憶部２２ａ１に記憶された時間内にモーションセンサ１４から信号（モーションあり）が入力されない場合には光源７１をＯＦＦする。
【００６９】
なお、自動消灯切換スイッチ１２がＯＦＦとなっている場合には、設定時間記憶部２２ａ１に記憶された時間内にモーションセンサ１４から信号が入力されない場合であっても光源７１をＯＦＦすることはない。
【００７０】
また、光源制御部２２ａ３は、調光ダイヤル１１の操作量に対応した照明強度となるように光源７１を制御する。具体的には、調光ダイヤル１１が回転操作されると、その操作量に対応するように光源７１の電圧を変更する。
【００７１】
図７に示すように、上述した本発明の実施の形態１に係る顕微鏡は、主電源２１をＯＮにすると、まず、時間の計測を開始するとともに（ステップＳ１）、照明状態表示部１５を「緑色で点灯」する（ステップＳ２）。そして、光源７１がＯＮする（ステップＳ３）。つぎに、主電源：ＯＮ（ステップＳ４）、自動消灯切換スイッチ：ＯＮ（ステップＳ５）を条件に、自動消灯モード表示部１３を点灯する（ステップＳ６）。
【００７２】
そして、１秒待って（ステップＳ７）、モーションセンサ１４が熱源の移動を検知した場合には（ステップＳ８：Ｙｅｓ）、経過時間の計測を初めから開始する（ステップＳ９）。
【００７３】
一方、モーションセンサ１４が熱源の移動を検知しない場合には「モーションなし」と判定し（ステップＳ８：Ｎｏ）、経過時間の計測を継続する（ステップＳ１０）。そして、予め設定された時間（３０分）が経過するまで、ステップＳ４〜Ｓ１０の手順を繰り返す（ステップＳ１１：Ｎｏ）。
【００７４】
設定時間記憶部２２ａ１に記憶された時間が経過すると、自動消灯モード表示部１３を一旦消灯させとともに（ステップＳ１２）、照明状態表示部１５を「赤色で点灯」する（ステップＳ１３）。そして、光源７１をＯＦＦする（ステップＳ１４）。
【００７５】
以後、主電源２１がＯＦＦ（ステップＳ１５：Ｎｏ）、自動消灯切換スイッチ１２がＯＦＦ（ステップＳ１６：Ｎｏ）とならない限り、この状態を維持する。
【００７６】
一方、自動消灯切換スイッチ１２をＯＦＦにすると（ステップＳ１６：Ｎｏ）、照明状態表示部１５を緑で点灯させるとともに（ステップＳ１７）、光源７１のＯＦＦ状態が解消される。そして、光源７１がＯＮとなり（ステップＳ１８）、時間の計測を初めから再開する（ステップＳ１９）。
【００７７】
他方、主電源２１をＯＦＦにすると（ステップＳ１５：Ｎｏ）、照明状態表示部１５を消灯させるとともに（ステップＳ２０）、自動消灯モード表示部１３を消灯させる（ステップＳ２１）。そして、一連の動作が終了する。
【００７８】
上述した実施の形態１に係る顕微鏡は、主電源２１をＯＮ操作した場合に光源７１をＯＮし、設定時間記憶部２２ａ１に記憶された時間内にモーションセンサ１４が熱源の移動を検知した場合に光源７１のＯＮ状態を継続する一方、設定時間記憶部２２ａ１に記憶された時間内にモーションセンサ１４が熱源の移動を検知しない場合に光源７１をＯＦＦする。したがって、観察者が接眼レンズ９１を覗いている場合には、光源７１のＯＮ状態を継続するので、観察者に不都合が生じることはない。
【００７９】
一方、観察者が接眼レンズ９１を覗いていない場合には、設定時間記憶部２２ａ１に記憶された時間内にモーションセンサ１４が熱源の移動を検知しないので、光源７１をＯＦＦする。したがって、照明光により標本が損傷したり、電力を浪費したりすることがない。また、観察者から放射した赤外線の変化を検出するので、物体を誤検出することもない。
【００８０】
なお、上述した実施の形態１に係る顕微鏡において、モーションセンサ１４を着脱可能なユニットとし、任意の位置に設置するようにしてもよい。
【００８１】
また、制御部２２ａに接続され、主電源２１をＯＮ操作した場合に制御信号の出力を開始し、設定時間記憶部２２ａ１に記憶された時間内にモーションセンサ１４が熱源の移動を検知した場合に制御信号の出力を継続する一方、設定時間記憶部２２ａ１に記憶された時間内に熱源の移動を検知しない場合に制御信号の出力をＯＦＦする出力端子を設けてもよい。例えば、この出力端子にカメラＣを接続すれば、出力信号が入力されている場合にカメラを作動させ、出力信号が入力されなくなった場合にカメラを停止させることができる。
【００８２】
（実施の形態２）
つぎに、図１及び図２を参照し、実施の形態２に係る顕微鏡について説明する。実施の形態２に係る顕微鏡は、実施の形態１に係る顕微鏡とモーションセンサ１４の取付位置を除いて異なるところはないので、モーションセンサ１１４の取付位置についてのみ説明し、他の説明を省略する。
【００８３】
実施の形態２に係る顕微鏡のモーションセンサ１１４は、右側の焦準部４Ｒの手前に位置するように、ベース部２ａの内部右側に取り付けられている。そして、ベース部のモーションセンサ１１４の前方となる部分には透孔２ａ１が設けてある。モーションセンサ１１４は、顕微鏡の側方域の熱源の移動を検知するもので、側方上下方向に７０度（中心から上方向と下方向とにそれぞれ３５度）の範囲、側方前後方向に１００度（中心から前方向と前方向とにそれぞれ５０度）の範囲の熱源の移動を検知する。なお、観察者（特に手または腕）も温度差を有する熱源を構成するので、観察者が焦準部４Ｒまたはステージハンドル５を操作した場合、モーションセンサ１１４が観察者の手または腕を検知する。したがって、観察者が標本を観察している場合にはモーションセンサ１１４がその動きを検知する。
【００８４】
上述した実施の形態２に係る顕微鏡は、主電源２１をＯＮ操作した場合に光源７１をＯＮし、設定時間記憶部２２ａ１に記憶された時間内にモーションセンサ１１４が熱源の移動を検知した場合に光源７１のＯＮ状態を継続する一方、設定時間記憶部２２ａ１に記憶された時間内にモーションセンサ１１４が熱源の移動を検知しない場合に光源７１をＯＦＦする。したがって、観察者が予め設定された時間内に一度でも焦準部４Ｒまたはステージハンドル５を操作すれば、モーションセンサ１１４が熱源の移動を検知する。そして、光源７１のＯＮ状態を継続するので、観察者に不都合が生じることはない。
【００８５】
一方、観察者が予め設定された時間内に一度も焦準部４Ｒまたはステージハンドル５を操作しなければ、モーションセンサ１１４が熱源の移動を検知しないので、光源７１をＯＦＦする。すなわち、顕微鏡を使用していない場合には、光源７１がＯＦＦされるので、照明光により標本が損傷したり、電力を浪費したりすることがない。また、観察者の移動を検知するので、物体を誤検知することもない。
【００８６】
また、実施の形態２に係る顕微鏡は、接眼レンズ９１からカメラＣへ光路を切り換え、接眼レンズ９１を覗くことなく、パソコンの画面に表示するようにした場合であっても、焦準部４Ｒは操作する必要があるので、顕微鏡を使用している場合にはモーションセンサ１１４が熱源の移動を検知することになる。
【００８７】
なお、実施の形態２に係る顕微鏡は、実施の形態１に係る顕微鏡に上述したモーションセンサ１１４を付加したものであってもよい。そして、予め設定された時間内にいずれか一方のモーションセンサ１４，１１４がモーション有りと判断した場合に光源７１への電力供給を継続する一方、予め設定された時間内にいずれのモーションセンサ１４，１１４もモーションなしと判断した場合に光源７１をＯＦＦするものとすればよい。
【００８８】
（実施の形態３）
つぎに、実施の形態３に係る顕微鏡について説明する。実施の形態３に係る顕微鏡は、実施の形態１にかかる顕微鏡において、減光部材２４にさらに追加の減光部材を重ねたものである。追加の減光部材は、上述した減光部材２４と同様に、モーションセンサ１４の赤外線入射方向前方に取り付けられ、入射する赤外線を減衰させるもので、例えば、赤外線を透過するポリエチレン素材のシートで構成されている。
【００８９】
上述した実施の形態３に係る顕微鏡は、追加の減光部材を重ね合わせたので、モーションセンサ１４の検出距離が短くなり、空調設備による急激な温度変化による誤検出を回避できる。
【００９０】
（実施の形態４）
まず、図８に基づいて、本発明の実施の形態４に係る顕微鏡の構成について説明する。
なお、図８は、本発明の実施の形態４に係る顕微鏡の構成を例示した図である。顕微鏡４０１は、顕微鏡本体４０２と、標本４０３を載せるステージ４０４と、ピントを調節する焦準部４０５と、標本４０３を拡大して観察するための観察光学系と、標本４０３へ均一な照明を行うための照明光学系と、を含んで構成される。
【００９１】
なお、ステージ４０４は、光軸と垂直な面内で移動可能に構成されている。さらに、焦準部４０５によりステージ４０４を光軸方向に移動させることも可能である。観察光学系は、標本４０３の拡大像を得る対物レンズ４０６と、数種類の対物レンズ４０６を光軸上に交換可能なレボルバ４０７と、拡大像を観察視野に導く鏡筒４０８と、拡大像をさらに虚像として拡大する接眼レンズ４０９と、を含んでいる。
【００９２】
照明光学系は、光源４１０と、光源４１０から射出される照明光を集光する不図示の集光レンズと、照明光の向きを変える不図示の反射ミラーと、照明光を標本へ照明するための不図示のコンデンサレンズと、を含んでいる。なお、光源４１０としては、例えば、ハロゲンランプやＬＥＤ光源などを用いることができる。
【００９３】
顕微鏡本体４０２には、顕微鏡４０１の主電源４１１が取り付けられている。主電源４１１をＯＮにすることにより、顕微鏡の各種制御を担う制御部４１２と、観察者を検知するための観察者検知部４１３（検知部、第１の検知部）とが機能する。観察者検知部４１３は、例えば、赤外線や超音波などを用いたセンサにより構成されていて、観察者検知部４１３の前方の近接した領域を検知対象としている。
【００９４】
制御部４１２の制御対象の一つとして、光源４１０へ供給する電力がある。制御部４１２は、制御部４１２内部に設けられた時間計測部４１４を観察者検知部４１３と連動して機能させることにより、光源４１０へ適時適切な電力を供給する。これにより、観察者が標本４０３を観察していない状態における光源４１０への無駄な電力の供給を抑制し、顕微鏡４０１の省電力化を実現することができる。また、後述する制御により、光源４１０を省電力化された状態から観察に適した電力が供給される状態へ高速に復帰させることができる。
【００９５】
なお、制御部４１２は、光源４１０、主電源４１１、観察者検知部４１３と、それぞれ信号線４１５、信号線４１６、信号線４１７を介して接続されている。
【００９６】
以下では、本実施の形態４に係る顕微鏡４０１の光源４１０に対する電力供給の制御について、詳細に説明する。まず、制御部４１２と連動して最適な電力供給を実現する観察者検知部４１３と時間計測部４１４の役割について説明する。
【００９７】
観察者検知部４１３は、図８に例示されるように顕微鏡４０１の前面に配置され、例えば、赤外線を射出し、その反射の状態により、観察者検知部４１３の前方近傍に観察者が存在するか否かを検知する。より具体的には、観察者検知部４１３の前方近傍に観察者が存在する場合は、信号線４１７を介して観察者が存在することを示す電気信号を制御部４１２へ送信する。一方、観察者検知部４１３の前方近傍に観察者が存在しない場合は、信号線４１７を介して観察者が存在しないことを示す電気信号を制御部４１２へ送信する。
【００９８】
なお、ここでは、観察者の有無に係らず観察者検知部４１３から制御部４１２へ電気信号を送信する方法を例示したが、特にこれに限定されることはない。例えば、観察者が存在する（または、存在しない）場合にのみ、電気信号を送信することにより観察者の有無を制御部４１２へ通知する方法を用いても良い。
【００９９】
時間計測部４１４は、制御部４１２による光源４１０に対する電力供給状態の変更と同期して経過時間を計測する。
【０１００】
次に、図９を参照しながら、制御部４１２による光源４１０に対する電力供給の制御について説明する。図９は、本実施の形態４に係る顕微鏡４０１における、観察者検知部４１３による検知結果とそれに伴う制御部４１２による光源４１０に対する電力供給の制御について例示した図である。図９の上段は、観察者検知部４１３による検知結果を例示しており、横軸は時間、縦軸は観察者検知部４１３による検知結果を示している。検知結果“ＯＮ”は存在が検知された状態、“ＯＦＦ”は存在が検知されなかった状態を表している。図９の下段は、光源４１０に対する電力供給を例示しており、横軸は経過時間、縦軸は光源４１０への供給電圧を示している。なお、ここでは電力供給に関するパラメータとして電圧を例示しているが、特にこれに限定されるものではない。
【０１０１】
時刻０から時刻Ｔ１までは、観察者は標本４０３を観察中である。この時、顕微鏡４０１の前には観察者が存在するため、観察者検知部４１３は観察者を検知し観察者が存在することを示す電気信号を制御部４１２へ送信する。観察者検知部４１３から上記電気信号を受信した制御部４１２は、観察中と判断し、光源４１０への供給電圧を定格点灯電圧Ｖ１に制御し、光源４１０を観察に最適な光量の照明光を射出するＯＮ状態に制御する。なお、光源４１０への供給電圧は、光源４１０から射出される光量と密接な関係がある。最適な観察環境を実現するため、定格点灯電圧Ｖ１は観察者により予め調整可能とする。
【０１０２】
時刻Ｔ１では、観察者は、顕微鏡４０１の前から離席し観察を中断する。この時、顕微鏡４０１の前には観察者が存在しないため、観察者検知部４１３は観察者が存在しないことを示す電気信号を制御部４１２へ送信する。観察者検知部４１３から上記電気信号を受信した制御部４１２は、観察が中断されたと判断し、まず、時間計測部４１４による時刻Ｔ１からの経過時間ｔｅ１の計測を開始する。さらに、光源４１０への供給電圧を待機電圧Ｖ２（待機電圧Ｖ２＜定格点灯電圧Ｖ１）に制御し、光源４１０を射出する照明光の光量が抑制された待機状態に制御する。
【０１０３】
なお、図９では、待機電圧Ｖ２は定格点灯電圧Ｖ１の約半分程度の値として例示しているが、特にこれに限定されない。供給電圧の大きさに応じて光源から射出される光量が決まることを考慮すると、待機電圧Ｖ２は省電力化及び標本保護の観点からは、できる限り小さな値が望ましい。一方、観察再開時に観察に最適な光量を射出するＯＮ状態へできる限り高速に復帰することを考慮すると、待機電圧Ｖ２はできる限り大きく、定格点灯電圧Ｖ１近い値が望ましい。
【０１０４】
以上から、待機電圧Ｖ２は、省電力化及び標本保護と観察状態への高速復帰とのバランスを考慮して適時決定する必要がある。本実施形態の顕微鏡４０１において、待機電圧Ｖ２は定格点灯電圧Ｖ１と同様に調整可能とする。
【０１０５】
時刻Ｔ２は、時刻Ｔ１から所定の時間だけ経過した時刻である。なお、ここで、時刻Ｔ１から時刻Ｔ２までの間、観察者は離席したままであり、観察者検知部４１３は観察者が存在しないことを示す電気信号を制御部４１２へ常時送信していたものとする。時刻Ｔ２では、制御部４１２は、時間計測部４１４により測定中の時刻Ｔ１からの経過時間ｔｅ１が予め設定されている待機時間Ｔａ以上となったことから、光源４１０の待機状態が待機時間Ｔａ以上継続したと判断し、光源４１０への電圧の供給を停止し、光源４１０を照明光を射出しないＯＦＦ状態とする。
【０１０６】
なお、時刻Ｔ１から時刻Ｔ２までの間に観察者が観察を再開した場合は、観察者検知部４１３は観察者の存在を検知し、観察者が存在することを示す電気信号を制御部４１２へ送信する。観察者検知部４１３から上記電気信号を受信した制御部４１２は、観察が再開されたと判断し、光源４１０への供給電圧を定格点灯電圧Ｖ１に制御し、光源４１０を観察に最適な光量を射出するＯＮ状態に制御する。
【０１０７】
このように、光源がＯＮ状態にある時に観察者検知部４１３が観察者が存在しないことを検知した後、一定時間（待機時間Ｔａ）経過するまでの間、光源４１０への供給電圧を待機電圧Ｖ２（０以上定格点灯電圧Ｖ１未満）に維持し、光源４１０を待機状態におくことにより、省電力化及び標本保護が図られるとともに、観察再開時の光源４１０のＯＮ状態への高速な復帰を実現している。また、一定時間（待機時間Ｔａ）経過後は、光源４１０への電圧の供給を停止し、さらに省電力化及び標本保護が図られる。
【０１０８】
次に、時刻Ｔ３から時刻Ｔ４では、例えば、単に顕微鏡４０１の前を人等が横切った場合など、本来、光源４１０をＯＮ状態へ復帰させる必要が無い場合における光源への電圧供給の制御例について説明する。なお、以降、本明細書では、上記のような、本来、光源４１０をＯＮ状態へ復帰する必要は無い状態での観察者検知部４１３による検知対象の検知を、“過剰検知”と記す。
【０１０９】
時刻Ｔ３は、観察者検知部４１３により過剰検知が生じた時刻である。この時、観察者検知部４１３は、検知対象が観察を再開するために近づいた観察者か、単に横切っただけの人等であるかについて区別することはできない。このため、時刻０から時刻Ｔ１の場合と同様に、観察者が存在することを示す電気信号を制御部４１２へ送信する。これにより制御部４１２は、観察が再開されたと判断し、まず、時間計測部４１４による時刻Ｔ３からの経過時間ｔｅ２の計測を開始する。さらに、光源４１０への供給電圧を定格点灯電圧Ｖ１に制御し、光源４１０を観察に最適な光量を射出するＯＮ状態に制御する。
【０１１０】
ところが、実際には、単に顕微鏡４０１の前を人等が横切っただけであるため、検知対象はすぐに顕微鏡４０１の前を通り過ぎ、観察者検知部４１３の検知範囲外へ移動することになる。これにより、検知対象が観察者検知部４１３の検知範囲外へ移動した時刻Ｔ４に、観察者検知部４１３は観察者が存在しないことを示す電気信号を制御部４１２へ送信する。この時、上記電気信号を受信した制御部４１２は、時間計測部４１４により測定中の経過時間ｔｅ２が予め設定されている最低観察時間Ｔｂを超えたかどうかを確認する。ここでは、測定中の経過時間ｔｅ２（光源がＯＮ状態に維持された時間）は最低観察時間Ｔｂ未満である。このため、制御部４１２は、観察者検知部４１３により検知された検知対象は観察を再開した観察者ではないと判断し、即座に光源４１０への電圧の供給を停止し、光源４１０をＯＦＦ状態とする。
【０１１１】
このように、光源４１０がＯＦＦ状態にある場合、観察者検知部４１３が検知対象を検知した直後に、当該検知が過剰検知か否かに関わらず、即座に光源４１０をＯＮ状態へ復帰させる。これにより、観察者が観察を再開するまでに要する時間を最小限に抑え、光源をＯＮ状態へ高速に復帰させることが可能となっている。なお、本実施形態では、過剰検知か否かについては、最低観察時間Ｔｂを基準に判断する。具体的には、観察者検知部４１３により検知対象が継続して検知された時間が最低観察時間Ｔｂ未満の場合は、過剰検知（つまり、光源４１０をＯＮ状態へ復帰する必要はなかった）と判断し、光源４１０を待機状態を経由させずにＯＦＦ状態へ制御する。これにより、無駄な電圧の供給を最低限に抑え、省電力化及び標本保護を実現する。
【０１１２】
時刻Ｔ５は、観察者が観察を再開した時刻である。この時、時刻Ｔ３の場合と同様に、観察者検知部４１３は観察者が存在することを示す電気信号を制御部４１２へ送信する。これにより、制御部４１２は観察が再開されたと判断し、時間計測部４１４による時刻Ｔ５からの経過時間ｔｅ２の計測を開始する。さらに、光源４１０をＯＮ状態に制御する。
【０１１３】
ここでは、実際に観察者が観察を再開しているため、観察者が次に離席する時刻Ｔ６では、最低観察時間Ｔｂを越えて光源４１０がＯＮ状態に維持されているものとする。このため、時刻Ｔ６では、時刻Ｔ１の場合と同様に、制御部４１２により光源４１０は待機状態に制御されることになる。
【０１１４】
図１０は、本実施形態に係る顕微鏡４０１における、観察者検知部４１３による検知結果とそれに伴う制御部４１２による光源４１０に対する電力供給の制御の変形例を例示した図である。なお、ここでも電力供給に関するパラメータとして電圧を例示しているが、特にこれに限定されるものではない。
【０１１５】
図１０は、供給電圧の変更の仕方が図２と異なっており、その他は同様である。図１０では、供給電圧を瞬時に変更している。例えば、時刻Ｔ１では、定格点灯電圧Ｖ１から待機電圧Ｖ２へ瞬時に変更している。このような短時間での急激な供給電圧の変更は、一般に光源の寿命に悪影響を及ぼすことが知られている。特に光源がハロゲンランプなどの場合には、この問題は顕著である。
【０１１６】
このため、図１０では、供給電圧を漸増又は漸減させている。例えば、時刻Ｔ１では、定格点灯電圧Ｖ１から待機電圧Ｖ２へ電圧を漸減させている。このように電圧の供給を制御することにより、光源４１０にかかる負担を低減させることが可能となり、光源４１０の寿命を正常に保つことができる。
【０１１７】
図１１は、本実施形態に係る顕微鏡４０１の光源４１０に対する電力供給の制御について例示したフローチャートである。図１１では、図９及び図１０における制御を実現するための制御フローが示されている。以下では、図１１を参照しながら、光源４１０に対する電力供給の制御フローについて説明する。なお、ここでも電力供給に関するパラメータとして電圧を例示しているが、特にこれに限定されるものではない。
【０１１８】
図１１に例示されるように、光源４１０に対する電圧供給の制御は、顕微鏡４０１の主電源４１１をＯＮにすることにより開始される（ステップＳ４０１）。ステップＳ４０２では、顕微鏡４０１の初期設定を行う。具体的には、光源４１０のＯＮ状態における定格点灯電圧Ｖ１、光源４１０の待機状態における待機電圧Ｖ２、光源４１０を待機状態に維持する時間の上限である待機時間Ｔａ、観察再開の判断基準である最低観察時間Ｔｂ、を設定する。なお、本ステップは予め決められた上記パラメータの値を自動的に設定するように構成してもよいし、観察者により手動で設定するように構成しても良い。
【０１１９】
ステップＳ４０３では、観察者検知部４１３により検知対象が検知されたか否かを判定する。判定がＹＥＳの場合（観察者検知部４１３により検知対象が検知された場合）はステップＳ４０４に遷移し、判定がＮＯの場合（観察者検知部４１３により検知対象が検知されなかった場合）はステップＳ４０５に遷移する。
【０１２０】
ステップＳ４０４では、観察者検知部４１３により検知対象が検知されたため、光源４１０に定格点灯電圧Ｖ１を供給する。これにより、光源４１０は観察に最適な光量を射出するＯＮ状態に制御される。その後、ステップＳ４０３へ遷移し、以上の処理を繰り返す。
【０１２１】
なお、ステップＳ４０３及びステップＳ４０４の繰り返しは、図９における時刻０から時刻Ｔ１までに対応する。つまり、観察者検知部４１３により検知対象が検知され、光源４１０がＯＮ状態に維持されている期間の処理のフローを示している。
【０１２２】
ステップＳ４０５では、時間計測部４１４を起動し、観察者検知部４１３により検知対象が検知されなくなった時刻からの経過時間ｔｅ１の計測を開始する。続くステップＳ４０６では、光源４１０に待機電圧Ｖ２を供給する。これにより、光源４１０は射出する光量を抑制した待機状態に制御される。
【０１２３】
ステップＳ４０７では、時間計測部４１４により計測中の経過時間ｔｅ１が、ステップＳ４０２にて設定された待機時間Ｔａ未満か否かを判定する。判定がＹＥＳの場合（経過時間ｔｅ１が待機時間Ｔａ未満の場合）はステップＳ４０８に遷移し、判定がＮＯの場合（経過時間ｔｅ１が待機時間Ｔａ以上の場合）はステップＳ４０９に遷移する。
【０１２４】
ステップＳ４０８では、再度、観察者検知部４１３により検知対象が検知されたか否かを判定する。判定がＹＥＳの場合はステップＳ４０４に遷移し、判定がＮＯの場合はステップＳ４０６に遷移する。
【０１２５】
なお、ステップＳ４０８で判定がＹＥＳの場合は、観察者が観察中断後、待機時間Ｔａ経過前に観察を再開した場合に対応する。ステップＳ４０４へ遷移し、光源４１０は観察に最適な光量を射出するＯＮ状態に高速に復帰する。
【０１２６】
また、ステップＳ４０６からステップＳ４０８の繰り返しは、図９における時刻Ｔ１から時刻Ｔ２までに対応する。つまり、観察者検知部４１３では検知対象が検知されず、光源４１０が待機状態に維持されている期間の処理のフローを示している。
【０１２７】
ステップＳ４０９では、観察者検知部４１３により検知対象が検知されなくなってから、待機時間Ｔａ以上経過したため、光源４１０への電圧の供給を停止し、光源４１０をＯＦＦ状態とする。
【０１２８】
ステップＳ４１０は、再度、観察者検知部４１３により検知対象が検知されたか否かを判定する。判定がＹＥＳの場合はステップＳ４１１に遷移し、判定がＮＯの場合はステップＳ４０９に遷移する。
【０１２９】
なお、ステップＳ４０９及びステップＳ４１０の繰り返しは、図９における時刻Ｔ２から時刻Ｔ３に対応する。つまり、観察者検知部４１３では検知対象が検知されず、待機時間Ｔａ経過後、光源４１０がＯＦＦ状態に維持されている期間の処理のフローを示している。
【０１３０】
ステップＳ４１１では、時間計測部４１４を起動し、観察者検知部４１３により検知対象が検知されてからの経過時間ｔｅ２の計測を開始する。続いてステップＳ４１２では、光源４１０に定格点灯電圧Ｖ１を供給する。これにより、光源４１０は観察に最適な光量を射出するＯＮ状態に制御される。
【０１３１】
ステップＳ４１３では、時間計測部４１４により計測中の経過時間ｔｅ２が、ステップＳ４０２にて設定された最低観察時間Ｔｂ未満か否かを判定する。判定がＹＥＳの場合（経過時間ｔｅ２が最低観察時間Ｔｂ未満の場合）はステップＳ４１４に遷移し、判定がＮＯの場合（経過時間ｔｅ２が最低観察時間Ｔｂ以上の場合）はステップＳ４０３に遷移する。
【０１３２】
ステップＳ４１４では、再度、観察者検知部４１３により検知対象が検知されたか否かを判定する。判定がＹＥＳの場合はステップＳ４１２に遷移し、判定がＮＯの場合はステップＳ４０９に遷移する。
【０１３３】
なお、ステップＳ４１２からステップＳ４１４の繰り返しは、図９における時刻Ｔ３から時刻Ｔ４までに対応する。つまり、観察者検知部４１３により検知対象が検知され、光源４１０がＯＦＦ状態からＯＮ状態に復帰し、最低観察時間Ｔｂを経過する前の期間の処理のフローを示している。
【０１３４】
また、最低観察時間Ｔｂ経過前にステップＳ４１４で判定がＮＯとなりステップＳ４０９へ遷移する処理は、図９における時刻Ｔ４の処理に対応する。つまり、過剰検知により一時的に光源４１０がＯＮ状態に復帰していた場合に相当する。
【０１３５】
また、最低観察時間Ｔｂを経過し、ステップＳ４１３で判定がＮＯとなりステップＳ４０３へ遷移する処理は、図９における時刻Ｔ５からＴ６の間に行われている。これにより、以降、観察者検知部４１３の検知結果がＮＯとなった場合であっても、光源４１０は直接ＯＦＦ状態には遷移せず、待機状態に遷移することになる。
【０１３６】
以上、本実施形態の顕微鏡４０１は、光源４１０、観察者検知部４１３及び時間計測部４１４を備え、光源４１０はＯＮ状態とＯＦＦ状態の加え、待機状態を有している。本実施形態の顕微鏡４０１によれば、一定の時間（最低観察時間Ｔｂ）の観察後に、観察者検知部４１３が検知対象を検知しなくなった場合、所定の時間（待機時間Ｔａ）だけ、光源４１０を待機状態に制御することができる。このため、観察を中断してから所定の時間（待機時間Ｔａ）の間に観察を再開した場合は、光源４１０を高速にＯＮ状態に復帰させて、即座に観察を再開することが可能となり、顕微鏡４０１の操作性が向上する。また、待機状態における供給電圧をＯＮ状態における供給電圧に比べ低く抑えるとともに、所定の時間（待機時間Ｔａ）経過後は電圧の供給を停止し、光源４１０を自動的にＯＦＦ状態に制御する。これにより、省電力化も合わせて実現する。
【０１３７】
また、本実施形態の顕微鏡４０１によれば、光源４１０が一旦ＯＦＦ状態になった後に、観察者検知部４１３が検知対象を検知した場合は、過剰検知か否かに関わらず、即座に光源４１０をＯＮ状態に制御する。さらに検知後、所定の時間（最低観察時間Ｔｂ）までに当該検知が終了した場合は、過剰検知とみなし、光源４１０を直接ＯＦＦ状態に制御する。このため、観察再開時には、光源４１０をＯＦＦ状態からＯＮ状態へ遷移させるために要する最低限の時間で観察を再開することが可能となり、顕微鏡４０１の操作性が向上する。さらに、過剰検知であった場合には、光源４１０を自動的にＯＦＦ状態に制御することにより、無駄な電力消費を最低限に抑制することが可能となる。
【０１３８】
（実施の形態５）
次に、図５を参照しながら、本実施形態に係る顕微鏡の構成について説明する。
【０１３９】
図１２は、本実施形態に係る顕微鏡の構成を例示した図である。なお、図５で例示される顕微鏡５０１の構成は、図８で例示される顕微鏡４０１の構成と多くの部分が共通である。このため、同一の構成要素には同一の符号を付して説明を省略する。
【０１４０】
図５で例示される顕微鏡５０１は、図８で例示される顕微鏡４０１に対して、さらに観察操作検知部５１８（第２の検知部）を設け、信号線５１９により制御部４１２と接続した構成となっている。
【０１４１】
観察操作検知部５１８は、顕微鏡５０１のステージ４０４内に取り付けられ、例えば、変位を検出する加速度センサなどを内部に含んで構成されている。これにより、観察操作が行われてステージ４０４が移動したか否かを検知する。より具体的には、ステージ４０４が光軸と垂直な面内、または光軸の方向に移動した場合は、信号線５１９を介して観察操作が行われたことを示す電気信号を制御部４１２へ送信する。一方、ステージ４０４が静止状態にある場合は、信号線５１９を介して観察操作が行われていないことを示すことを示す電気信号を制御部４１２へ送信する。
【０１４２】
なお、ここでは、観察操作の有無に係らず観察操作検知部５１８から制御部４１２へ電気信号を送信する方法を例示したが、特にこれに限定されることはない。例えば、観察操作が行われた場合（または、行われていない場合）にのみ、電気信号を送信することにより観察操作の有無を制御部４１２へ通知する方法を用いても良い。
【０１４３】
次に、図１３を参照しながら、制御部４１２による光源４１０に対する電力の供給制御について説明する。なお、図１３は、本実施形態に係る顕微鏡５０１における、観察者検知部４１３及び観察操作検知部５１８による検知結果とそれに伴う制御部４１２による光源４１０に対する電力供給の制御について例示した図である。図１３の上段は、観察操作検知部５１８による検知結果を例示しており、横軸は時間、縦軸は観察操作検知部５１８による検知結果を示している。検知結果“ＯＮ”は観察操作が検知された状態、“ＯＦＦ”は観察操作が検知されなかった状態を表している。図１３の中段は、観察者検知部４１３による検知結果を例示しており、横軸は時間、縦軸は観察者検知部４１３による検知結果を示している。検知結果“ＯＮ”は存在が検知された状態、“ＯＦＦ”は存在が検知されなかった状態を表している。図１３の下段は、光源４１０に対する電力供給を例示しており、横軸は経過時間、縦軸は光源４１０への供給電圧を示している。なお、ここでは電力供給に関するパラメータとして電圧を例示しているが、特にこれに限定されるものではない。
【０１４４】
時刻０から時刻Ｔ２までは、図９で例示した制御と同様であるため、説明を省略する。時刻Ｔ３から時刻Ｔ４では、過剰検知の場合における光源４１０に対する電圧供給の制御例について説明する。
【０１４５】
時刻Ｔ３は、観察者検知部４１３により過剰検知が生じた時刻である。この時、観察者検知部４１３は、検知対象が観察を再開するために近づいた観察者か、単に横切っただけの人等であるかについて区別することはできないため、観察者が存在することを示す電気信号を制御部４１２へ送信する。制御部４１２は、上記電気信号を受信すると、時間計測部４１４による時刻Ｔ３からの経過時間ｔｅ２の計測を開始する。さらに、実施の形態４と異なり、光源４１０への供給電圧を待機電圧Ｖ２に制御し、光源４１０を待機状態に制御する。
【０１４６】
上記検知結果は、単に顕微鏡５０１の前を人等が横切ったことによるものであるため、検知対象はすぐに顕微鏡５０１の前を通り過ぎ、観察者検知部４１３の検知範囲外へ移動することになる。これにより、検知対象が観察者検知部４１３の検知範囲外へ移動した時刻Ｔ４に、観察者検知部４１３は観察者が存在しないことを示す電気信号を制御部４１２へ送信する。これにより、制御部４１２は、観察者検知部４１３により検知された検知対象は観察を再開した観察者ではないと判断し、光源４１０への電圧の供給を停止し、光源４１０をＯＦＦ状態とする。
【０１４７】
このように、光源４１０がＯＦＦ状態にある時に、観察者検知部４１３が検知対象を検知した場合は、一旦、光源４１０を待機状態へ遷移させている。これにより、直ぐにＯＮ状態に遷移させる場合に比べ、過剰検知であった場合に無駄となる電圧の供給及び光源４１０の発光量を最低限に抑え、省電力化及び照明光の過剰な射出からの標本４０３の保護を実現することができる。
【０１４８】
時刻Ｔ５は、観察者が観察を再開した時刻である。この時、時刻Ｔ３の場合と同様に、観察者検知部４１３は観察者が存在することを示す電気信号を制御部４１２へ送信する。制御部４１２は、まず、時間計測部４１４により時刻Ｔ５からの経過時間の計測を開始した上で、光源４１０を待機状態に制御する。
【０１４９】
ここでは、実際に観察者は観察を再開しているため、ステージ４０４を移動させるなどの観察操作を行う。時刻Ｔ６は、観察操作としてステージ４０４を移動させた時刻である。この時、観察操作検知部５１８は、ステージ４０４の移動により観察操作が行われたことを検知し、信号線５１９を介して観察操作が行われたことを示す電気信号を制御部４１２へ送信する。制御部４１２は、上記電気信号を受信すると、光源４１０への供給電圧を定格点灯電圧Ｖ１に制御し、光源４１０をＯＮ状態に制御する。
【０１５０】
このように、光源４１０を一旦待機状態まで復帰させた後に、観察操作をトリガーとして光源４１０を高速にＯＮ状態に復帰させることにより、観察再開に合わせて観察に最適な照明状態を、無駄な消費電力を供給することなく提供することが可能となる。
【０１５１】
以上では、光源４１０が待機状態からＯＮ状態に遷移する例として、観察操作が行われた場合について説明した。その他にも、光源４１０がＯＦＦ状態から遷移し一定時間（最低観察時間Ｔｂ）以上待機状態に維持された場合にも、同様に、光源４１０はＯＮ状態に制御される。これにより、観察開始後、一切の観察操作が不要な場合であっても、一定時間後には観察に最適な照明状態を提供することが可能となる。
【０１５２】
なお、過剰検知などにより所定時間（最低観察時間Ｔｂ）経過前に、観察者検知部４１３が観察者が存在しないことを示す電気信号を制御部４１２に送信した場合は、実施の形態４と同様に、光源４１０への電圧の供給を停止し、光源４１０をＯＦＦ状態とする。
【０１５３】
ここでは、観察操作検知部５１８をステージ４０４に取り付け、ステージ４０４の移動を伴う観察操作を検出し、それをトリガーとして光源４１０をＯＮ状態に復帰する例を示したが、特にこれに限定されるものではない。ステージ４０４の他に、合焦処理で操作される焦準部４０５や、対物レンズ４０６の切り替え時に操作されるレボルバ４０７、その他、照明光を調整するための不図示のフィルタを交換するフィルタキューブなど、観察時に操作される各種操作部に観察操作検知部５１８を取り付けても良い。これにより、ステージ４０４の移動以外の観察操作も検知することが可能となり、より確実に観察再開に合わせて最適な照明状態を提供することが可能となる。
【０１５４】
また、本実施の形態においても、図１０で例示される実施の形態４の変形例と同様に、光源４１０への供給電圧を漸増又は漸減させてもよい。これにより、実施の形態４の変形例の場合と同様に、光源４１０の寿命に与える悪影響を抑制することが可能となる。
【０１５５】
図１４は、本実施形態に係る顕微鏡における光源に対する電力供給の制御について例示したフローチャートである。図１４では、図１３に例示した制御を実現するための制御フローが示されている。以下では、図１４を参照しながら、光源４１０に対する電力供給の制御フローについて説明する。なお、ここでも電力供給に関するパラメータとして電圧を例示しているが、特にこれに限定されるものではない。
【０１５６】
なお、図１４に例示されるフローチャートは、ステップＳ５１０までは、図１１に例示されるフローチャートと同様であるため、説明を省略する。ステップＳ５０９で光源４１０をＯＦＦ状態に制御した後、ステップＳ５１０で観察者検知部４１３により検知対象を検知した場合は、ステップＳ５１１へ遷移する。
【０１５７】
ステップＳ５１１では、時間計測部４１４を起動し、観察者検知部４１３により検知対象が検知されてからの経過時間ｔｅ２の計測を開始する。続いて、ステップＳ５１２で光源４１０に待機電圧Ｖ２を供給する。これにより、光源４１０は待機状態に制御される。
【０１５８】
ステップＳ５１３では、観察操作検知部５１８によりステージ４０４の移動などの観察操作が検知されたか否かを判定する。判定がＹＥＳの場合（観察操作検知部５１８により観察操作が検知された場合）はステップＳ５０３に遷移してステップＳ５０４で光源４１０がＯＮ状態に制御される。一方、判定がＮＯの場合（観察操作検知部５１８により観察操作が検知されなかった場合）はステップＳ５１４に遷移する。
【０１５９】
ステップＳ５１４では、時間計測部４１４により計測中の経過時間ｔｅ２が、ステップＳ５０２にて設定された最低観察時間Ｔｂ未満か否かを判定する。判定がＹＥＳの場合（経過時間ｔｅ２が最低観察時間Ｔｂ未満の場合）はステップＳ５１５に遷移し、判定がＮＯの場合（経過時間ｔｅ２が最低観察時間Ｔｂ以上の場合）はステップＳ５０３に遷移してステップＳ５０４で光源４１０がＯＮ状態に制御される。
【０１６０】
ステップＳ５１５では、再度、観察者検知部４１３により検知対象が検知されたか否かを判定する。判定がＹＥＳの場合はステップＳ５１２に遷移し、判定がＮＯの場合はステップＳ５０９に遷移する。
【０１６１】
なお、ステップＳ５１２からステップＳ５１５の繰り返しは、図１３における時刻Ｔ３から時刻Ｔ４までに対応する。つまり、観察者検知部４１３により検知対象が検知され、光源４１０がＯＦＦ状態から待機状態に遷移し、最低観察時間Ｔｂを経過する前の期間の処理のフローを示している。
【０１６２】
また、最低観察時間Ｔｂ経過前にステップＳ５１５で判定がＮＯとなりステップＳ５０９へ遷移する処理は、図１３における時刻Ｔ４の処理に対応する。つまり、過剰検知により一時的に光源４１０が待機状態に遷移していた場合に対応する。
【０１６３】
また、最低観察時間Ｔｂを経過し、ステップＳ５１４で判定がＮＯとなりステップＳ５０３へ遷移する処理は、図１３においては図示されていない。この処理は、観察再開時に観察操作を伴わない場合を想定して、一定時間（最低観察時間Ｔｂ）後に光源４１０をＯＮ状態に復帰させる処理に対応する。
【０１６４】
また、ステップＳ５１３で判定がＹＥＳとなりステップＳ５０３へ遷移する処理は、図１３における時刻Ｔ６の処理に対応する。つまり、ステージ４０４の移動などの観察操作を観察操作検知部５１８が検知し、光源４１０を待機状態からＯＮ状態へ復帰させる処理に対応する。
【０１６５】
以上、本実施の形態の顕微鏡５０１は、実施の形態４の顕微鏡４０１の構成要素に加え、さらに観察操作検知部５１８を備えている。本実施の形態の顕微鏡５０１によれば、一定の時間（最低観察時間Ｔｂ）の観察後に、観察者検知部４１３が検知対象を検知しなくなった場合、所定の時間（待機時間Ｔａ）だけ、光源４１０を待機状態に制御することができる。このため、観察を中断してから所定の時間（待機時間Ｔａ）の間に観察を再開した場合は、光源４１０を高速にＯＮ状態に復帰させて、即座に観察を再開することが可能となり、顕微鏡５０１の操作性が向上する。また、待機状態における供給電圧をＯＮ状態における供給電圧に比べ低く抑えるとともに、所定の時間（待機時間Ｔａ）経過後は電圧の供給を停止し、光源４１０を自動的にＯＦＦ状態に制御する。これにより、省電力化も合わせて実現する。
【０１６６】
また、本実施の形態の顕微鏡５０１によれば、光源４１０が一旦ＯＦＦ状態になった後に、観察者検知部４１３が検知対象を検知した場合は、過剰検知か否かに関わらず、即座に光源４１０を待機状態に制御する。そして、観察再開に伴う観察操作をトリガーとして、光源４１０を待機状態から高速にＯＮ状態に復帰させることができる。このため、無駄な消費電力を供給することなく、観察再開に合わせて最適な照明環境を提供することが可能となり、顕微鏡５０１の操作性が向上する。
【０１６７】
また、観察者検知部４１３による検知後、所定の時間（最低観察時間Ｔｂ）以上当該検知が継続した場合には、光源４１０を待機状態からＯＮ状態に復帰させる。これにより、観察再開時に観察操作を伴わない場合であっても、所定の時間（最低観察時間Ｔｂ）後に自動的に最適な照明環境を提供し、観察を再開することが可能となる。
【０１６８】
さらに観察者検知部４１３による検知後、所定の時間（最低観察時間Ｔｂ）までに当該検知が終了した場合は、過剰検知とみなし、光源４１０を自動的に直接ＯＦＦ状態に制御する。これにより、無駄な電力消費を最低限に抑制することが可能となる。
【０１６９】
（実施の形態６）
次に、図１５を参照しながら、本実施の形態に係る顕微鏡の構成について説明する。なお、図１５は、本実施の形態に係る顕微鏡の構成を例示した図である。なお、図１５で例示される顕微鏡６０１の構成は、図８で例示される顕微鏡４０１の構成と多くの部分が共通である。このため、同一の構成要素には同一の符号を付して説明を省略する。
【０１７０】
図１５で例示される顕微鏡６０１は、図８で例示される顕微鏡４０１の観察者検知部４１３の代わりに、近距離観察者検知部６２０（第３の検知部）と遠距離観察者検知部６２１（第４の検知部）を設け、それぞれ信号線６２２、信号線６２３により制御部４１２と接続した構成となっている。
【０１７１】
近距離観察者検知部６２０及び遠距離観察者検知部６２１は、例えば、赤外線や超音波などを用いたセンサにより構成されている。なお、近距離観察者検知部６２０は、近距離観察者検知部６２０前方の比較的近接した領域を検知対象としている。これに対して、遠距離観察者検知部６２１は、近距離観察者検知部６２０の検知範囲に加え、さらに遠方の領域までを検知範囲としている。より具体的には、近距離観察者検知部６２０が検知対象を検知した場合は、信号線６２２を介して観察者が顕微鏡近傍に存在することを示す電気信号を制御部４１２へ送信する。一方、遠距離観察者検知部６２１が検知対象を検知した場合は、信号線６２３を介して観察者が顕微鏡から少し離れた位置を含む一定の範囲内に存在することを示す電気信号を制御部４１２へ送信する。
【０１７２】
なお、ここでは、近距離観察者検知部６２０と遠距離観察者検知部６２１を別々の構成要素として記載したが、特にこれに限定されない。近距離観察者検知部６２０及び遠距離観察者検知部６２１の代わりに、上記の機能を提供可能な単一の検知部を用いてもよい。
【０１７３】
次に、図１６を参照しながら、制御部４１２による光源４１０に対する電力の供給制御について説明する。なお、図９は、本実施の形態に係る顕微鏡６０１における、近距離観察者検知部６２０及び遠距離観察者検知部６２１による検知結果と、それに伴う制御部４１２による光源４１０に対する電力供給の制御について例示した図である。図１６の上段は、近距離観察者検知部６２０による検知結果を例示しており、横軸は時間、縦軸は近距離観察者検知部６２０による検知結果を示している。図１６の中段は、遠距離観察者検知部６２１による検知結果を例示しており、横軸は時間、縦軸は遠距離観察者検知部６２１による検知結果を示している。いずれも、検知結果“ＯＮ”は存在が検知された状態、“ＯＦＦ”は存在が検知されなかった状態を表している。図１６の下段は、光源４１０に対する電力供給を例示しており、横軸は経過時間、縦軸は光源４１０への供給電圧を示している。なお、ここでは電力供給に関するパラメータとして電圧を例示しているが、特にこれに限定されるものではない。
【０１７４】
時刻０から時刻Ｔ１までは、観察者は標本４０３を観察中である。この時、顕微鏡６０１の前には観察者が存在するため、近距離観察者検知部６２０及び遠距離観察者検知部６２１は、いずれも観察者を検知し観察者が存在することを示す電気信号を制御部４１２へ送信する。近距離観察者検知部６２０及び遠距離観察者検知部６２１から上記電気信号を受信した制御部４１２は、観察中と判断し、光源４１０への供給電圧を定格点灯電圧Ｖ１に制御し、光源４１０を観察に最適な光量を射出するＯＮ状態に制御する。
【０１７５】
時刻Ｔ１は、観察者が観察を中断し顕微鏡６０１の前から立ち上がった時刻である。この時、観察者は近距離観察者検知部６２０の検知範囲外であるが、遠距離観察者検知部６２１の検知範囲内にとどまっているものとする。このため、近距離観察者検知部６２０は観察者が存在しないことを検知し、観察者が存在しないことを示す電気信号を制御部４１２へ送信する。一方、遠距離観察者検知部６２１は引き続き観察者を検知し観察者が存在することを示す電気信号を制御部４１２へ送信する。近距離観察者検知部６２０及び遠距離観察者検知部６２１から上記電気信号を受信した制御部４１２は、観察が中断されたと判断し、光源４１０への供給電圧を待機電圧Ｖ２（待機電圧Ｖ２＜定格点灯電圧Ｖ１）に制御し、光源４１０を射出する光量が抑制された待機状態に制御する。
【０１７６】
時刻Ｔ２では、観察者が遠距離観察者検知部６２１の検知範囲外に移動した時刻である。なお、ここで、時刻Ｔ１から時刻Ｔ２までの間、観察者は近距離観察者検知部６２０の検知範囲外で、且つ遠距離観察者検知部６２１の検知範囲内にいたものとする。時刻Ｔ２では、近距離観察者検知部６２０及び遠距離観察者検知部６２１は、いずれも観察者が存在しないことを示す電気信号を制御部６１２へ送信する。近距離観察者検知部６２０及び遠距離観察者検知部６２１から上記電気信号を受信した制御部４１２は、光源４１０への電圧の供給を停止し、光源４１０をＯＦＦ状態とする。
【０１７７】
なお、ここで、時刻Ｔ１から時刻Ｔ２までの間に観察者が近距離観察者検知部６２０の検知範囲内に戻り、近距離観察者検知部６２０が、観察者が存在することを示す電気信号を制御部４１２へ送信した場合は、制御部４１２は観察が再開されたと判断し、光源４１０への供給電圧を定格点灯電圧Ｖ１に制御し、光源４１０はＯＮ状態に制御される。
【０１７８】
次に、時刻Ｔ３から時刻Ｔ４では、過剰検知の場合における光源に対する電圧供給の制御例について説明する。時刻Ｔ３は、遠距離観察者検知部６２１により過剰検知が生じた時刻である。この時、遠距離観察者検知部６２１は、検知対象が観察を再開するために近づいた観察者か、単に横切っただけの人等であるかについて区別することはできないため、観察者が存在することを示す電気信号を制御部４１２へ送信する。制御部４１２は、上記電気信号を受信すると、光源４１０への供給電圧を待機電圧Ｖ２に制御し、光源４１０を一旦待機状態に制御する。なお、この時、近距離観察者検知部６２０は、引き続き、観察者が存在しないことを示す電気信号を制御部４１２へ送信していたものとする。
【０１７９】
上記検知結果は、単に顕微鏡６０１の前を人等が横切ったことによるものであるため、検知対象はすぐに顕微鏡６０１の前を通り過ぎ、遠距離観察者検知部６２１の検知範囲外へ移動することになる。これにより、検知対象が遠距離観察者検知部６２１の検知範囲外へ移動した時刻Ｔ４に、遠距離観察者検知部６２１は観察者が存在しないことを示す電気信号を制御部４１２へ送信する。これにより、制御部４１２は顕微鏡６０１の付近には観察者が存在しないと判断し、光源４１０への電圧の供給を停止し、光源４１０をＯＦＦ状態に制御する。
【０１８０】
時刻Ｔ５は、観察者が観察を再開するために遠距離観察者検知部６２１の検知範囲内まで顕微鏡６０１に近づいた時刻である。この時、時刻Ｔ３の場合と同様に、遠距離観察者検知部６２１は観察者が存在することを示す電気信号を制御部４１２へ送信する。制御部４１２も時刻Ｔ３の場合と同様に、光源４１０を待機状態に制御する。
【０１８１】
時刻Ｔ６は、観察者が観察を再開するために近距離観察者検知部６２０の検知範囲まで顕微鏡６０１に近づいた時刻である。この時、近距離観察者検知部６２０は、観察者が存在することを示す電気信号を制御部４１２へ送信する。制御部４１２は、上記電気信号を受信すると、光源４１０への供給電圧を定格点灯電圧Ｖ１に制御し、光源４１０をＯＮ状態に制御する。これにより光源４１０から観察に最適な光量が射出されることになる。
【０１８２】
以上、顕微鏡６０１を実際に利用するときに観察者が存在する範囲を検知する近距離観察者検知部６２０に加え、近距離観察者検知部６２０より広い範囲を検知範囲とする遠距離観察者検知部６２１を用いることにより、実際に顕微鏡６０１の近くまで来て観察を再開する場合には、光源４１０はすでに待機状態にあるため、高速にＯＮ状態へ復帰可能である。その一方で、近距離観察者検知部６２０はごく近くのみを検知範囲とすれば十分であるため、過剰検知において近距離観察者検知部６２０が検知対象を検知する可能性は非常に小さくなる。このため、過剰検知が生じた場合にも無駄となる電圧の供給を最低限に抑えることが可能である。
【０１８３】
図１７は、本実施形態に係る顕微鏡６０１における光源に対する電力供給の制御について例示したフローチャートである。図１７では、図１６に例示した制御を実現するための制御フローが示されている。以下では、図１６を参照しながら、光源４１０に対する電力供給の制御フローについて説明する。なお、ここでも電力供給に関するパラメータとして電圧を例示しているが、特にこれに限定されるものではない。
【０１８４】
なお、図１６に例示されるフローチャートはステップＳ６０１から開始される。ステップＳ６０１は、図１１及び図１４に例示されるフローチャートのステップＳ４０１，５０１と同様であるため、説明を省略する。
【０１８５】
ステップＳ６０２では、顕微鏡６０１の初期設定を行う。具体的には、光源４１０のＯＮ状態における定格点灯電圧Ｖ１、光源４１０の待機状態における待機電圧Ｖ２を設定する。なお、本ステップは予め決められた上記パラメータの値を自動的に設定するように構成してもよいし、観察者により手動で設定するように構成しても良い。
【０１８６】
ステップＳ６０３では、近距離観察者検知部６２０より検知対象が検知されたか否かを判定する。判定がＹＥＳの場合（近距離観察者検知部６２０により検知対象が検知された場合）はステップＳ６０４に遷移し、判定がＮＯの場合（近距離観察者検知部６２０により検知対象が検知されなかった場合）はステップＳ６０５に遷移する。
【０１８７】
ステップＳ６０４では、近距離観察者検知部６２０により検知対象が検知されたため、光源４１０に定格点灯電圧Ｖ１を供給する。これにより、光源４１０は観察に最適な光量を射出するＯＮ状態に制御される。その後、ステップＳ６０３へ遷移し、以上の処理を繰り返す。
【０１８８】
なお、ステップＳ６０３及びステップＳ６０４の繰り返しは、図１６における時刻０から時刻Ｔ１までに対応する。つまり、近距離観察者検知部６２０により検知対象が検知され、光源４１０がＯＮ状態に維持されている期間の処理のフローを示している。
【０１８９】
ステップＳ６０５では、遠距離観察者検知部６２１より検知対象が検知されたか否かを判定する。判定がＹＥＳの場合（遠距離観察者検知部６２１により検知対象が検知された場合）はステップＳ６０６に遷移し、判定がＮＯの場合（遠距離観察者検知部６２１により検知対象が検知されなかった場合）はステップＳ６０７に遷移する。
【０１９０】
ステップＳ６０６では、遠距離観察者検知部６２１により検知対象が検知されたため、光源４１０に待機電圧Ｖ２を供給する。これにより、光源４１０は射出する光量を抑制した待機状態に制御される。その後、ステップＳ６０３へ遷移し、以上の処理を繰り返す。
【０１９１】
なお、ステップＳ６０３、ステップＳ６０５及びステップＳ６０６の繰り返しは、図１６における時刻Ｔから時刻Ｔ２までに対応する。つまり、遠距離観察者検知部６２１により検知対象が検知され、光源４１０が待機状態に維持されている期間の処理のフローを示している。
【０１９２】
ステップＳ６０７では、遠距離観察者検知部６２１により検知対象が検知されなかったため、光源４１０への電圧の供給を停止する。これにより、光源４１０はＯＦＦ状態に制御される。その後、ステップＳ６０３へ遷移し、以上の処理を繰り返す。
【０１９３】
以上、本実施の形態の顕微鏡６０１は、光源４１０と検知範囲の異なる近距離観察者検知部６２０及び遠距離観察者検知部６２１を備え、光源４１０はＯＮ状態とＯＦＦ状態の加え、待機状態を有している。本実施の形態の顕微鏡６０１によれば、近距離観察者検知部６２０の検知範囲をごく近くとし、遠距離観察者検知部６２１の検知範囲を近距離観察者検知部６２０より広く設定することにより、観察者が顕微鏡６０１のごく近くまで接近し実際に観察を再開する場合のみ、光源４１０をＯＮ状態にすることができる。これにより、無駄な電圧の供給を抑制することが可能となり、省電力化と過剰な照明光の照射からの標本の保護を実現することができる。また、過剰検知の場合に供給する電圧も少なく抑えることができる。
【０１９４】
また、ごく近くまで接近し近距離観察者検知部６２０により検知されたときには、すでに遠距離観察者検知部６２１により検知され、光源４１０は待機状態に制御されている。このため、観察再開に合わせて光源４１０を高速にＯＮ状態へ復帰することができる。これにより、観察再開時の顕微鏡６０１の操作性を向上することができる。
【０１９５】
（実施の形態７）
次に、図１８を参照しながら、本実施形態に係る顕微鏡の構成について説明する。なお、図１１は、本実施の形態に係る顕微鏡の構成を例示した図である。
【０１９６】
図１８で例示される顕微鏡７０１の構成は、図８、図１２、図１５で例示される顕微鏡４０１，５０１，６０１の構成と多くの部分が共通である。このため、同一の構成要素には同一の符号を付して説明を省略する。
【０１９７】
図１８で例示される顕微鏡７０１は、観察操作検知部５１８、近距離観察者検知部６２０及び遠距離観察者検知部６２１の３つの検知部を有している。観察操作検知部５１８と制御部４１２とを接続する信号線５１９上には、スイッチ７２４が設けられている。スイッチ７２４をＯＮにすることにより観察操作検知部５１８による検出動作が開始され、ＯＦＦにすることで検出動作が停止される。
【０１９８】
同様に、近距離観察者検知部６２０と制御部４１２とを接続する信号線６２２上には、スイッチ７２５が設けられている。スイッチ７２５をＯＮにすることにより近距離観察者検知部６２０による検出動作が開始され、ＯＦＦにすることで検出動作が停止される。
【０１９９】
同様に、遠距離観察者検知部６２１と制御部４１２とを接続する信号線６２３上には、スイッチ７２６が設けられている。スイッチ７２６をＯＮにすることにより遠距離観察者検知部７２１による検出動作が開始され、ＯＦＦにすることで検出動作が停止される。
【０２００】
本実施の形態の顕微鏡７０１は、上記のスイッチ７２４、スイッチ７２５及びスイッチ７２６を切り替えることにより、実施の形態４の顕微鏡４０１、実施の形態５の顕微鏡５０１、実施の形態６の顕微鏡６０１と同様の機能を提供することが可能となる。
【０２０１】
具体的には、上記３つのスイッチのうち、スイッチ７２５またはスイッチ７２６のいずれかのみＯＮにすることにより、顕微鏡７０１は、実施の形態４の顕微鏡４０１と同等の機能を提供することが可能する。この時、顕微鏡７０１の近距離観察者検知部６２０または遠距離観察者検知部６２１が、顕微鏡４０１の観察者検知部４１３に対応する。なお、ここで、制御部４１２で行われる制御は、スイッチの切り替えと同時に顕微鏡４０１で行われる制御に切り替わるものとする。
【０２０２】
さらに、上記３つのスイッチのうち、スイッチ７２５またはスイッチ７２６のいずれか一方と、スイッチ７２４をＯＮにすることにより、顕微鏡７０１は、実施の形態５の顕微鏡５０１と同等の機能を提供することが可能する。この時、顕微鏡７０１の近距離観察者検知部６２０または遠距離観察者検知部６２１が顕微鏡５０１の観察者検知部４１３に対応する。なお、ここで、制御部４１２で行われる制御は、スイッチの切り替えと同時に顕微鏡５０１で行われる制御に切り替わるものとする。
【０２０３】
さらに、上記３つのスイッチのうち、スイッチ７２５及びスイッチ７２６の両方をＯＮにすることにより、顕微鏡７０１は、実施の形態６の顕微鏡６０１と同等の機能を提供することが可能する。なお、ここで、制御部４１２で行われる制御は、スイッチの切り替えと同時に顕微鏡６０１で行われる制御に切り替わるものとする。
【０２０４】
以上、本実施の形態の顕微鏡７０１では、スイッチの切り替えのみで、上述した顕微鏡４０１、顕微鏡５０１及び顕微鏡６０１と同等の機能を状況に合わせて切り替えて利用することが可能となる。これにより、顕微鏡４０１、顕微鏡５０１及び顕微鏡６０１と同等の効果を得ることができる。
【０２０５】
また、例えば、多人数による利用等のように、利用環境によっては光源４１０の自動的なＯＮ／ＯＦＦが頻発する環境も想定される。このような場合には、スイッチをすべてＯＦＦにすることで、光源４１０の自動的なＯＮ／ＯＦＦを抑制し、過剰なＯＮ／ＯＦＦ動作による光源４１０の寿命への悪影響を抑制することが可能となる。なお、スイッチ７２４、スイッチ７２５及びスイッチ７２６の機能を制御部４１２に実装されたソフトウェアで実現してもよい。
【０２０６】
なお、本発明は、上述の実施の形態に例示した構成に限らず、その趣旨を逸脱しない範囲で種々変更可能であることは言うまでもない。
（付記１）
試料を照明するための照明光源と、
前記照明光源の光量を制御する制御部と、
顕微鏡近傍に存在する顕微鏡観察者を検知する近接検知手段と、を備え、
前記制御部は、
前記近接検知手段が顕微鏡観察者の不在を検知した時に、前記照明光源の光量を低減させて前記照明光源を点灯させ、
前記近接検知手段が顕微鏡観察者の戻ったことを検知した時に、不在前の前記照明光源の光量に戻す操作を行う顕微鏡において、
前記制御部は、さらに、時間計測部を備え、
前記時間計測部が顕微鏡観察者の所定の不在時間を計測した場合は、前記制御部は、前記照明光源を消灯し、
前記近接検知手段が顕微鏡観察者を一時的に検知した場合は、前記制御部は、前記照明光源を一時的に不在前の光量に戻し、
前記近接検知手段が顕微鏡観察者の戻ったことを検知した場合は、前記制御部は、前記照明光源を不在前の光量に戻すことを特徴とする顕微鏡。
（付記２）
付記１に記載の顕微鏡において、
さらに、観察操作に伴い動作する観察操作部と、前記観察操作部の動作を検知する観察
操作検知手段と、を備え、
前記制御部は、
前記照明光源が消灯時に、前記近接検知手段が顕微鏡観察者を検知した場合は、光量を低減させた状態で前記照明光源を点灯させ、
前記照明光源が光量を低減させた状態の時に、前記観察操作検知手段が前記観察操作部の動作を検知した場合は、不在前の光量に前記照明光源を戻すことを特徴とする顕微鏡。
（付記３）
付記１に記載の顕微鏡において、
さらに、前記近接検知手段より広範囲の検知が可能な第２の検知手段を備え、前記制御部は、
前記照明光源が消灯時に、前記第２の検知手段が顕微鏡観察者を検知した場合は、光量を低減させた状態で前記照明光源を点灯させ、
前記照明光源が光量を低減させた状態の時に、前記近接検知手段が顕微鏡観察者を検知した場合は、不在前の光量に前記照明光源を戻すことを特徴とする顕微鏡。
（付記４）
付記１に記載の顕微鏡において、
前記所定の不在時間は、調整可能であることを特徴とする顕微鏡。
【符号の説明】
【０２０７】
１１    調光ダイヤル
１２    自動消灯切換スイッチ
１３    自動消灯モード表示部
１４    モーションセンサ
１４ａ    センサモジュール
１４ａ１    受熱素子（検知部）
１４ａ２    判定部
１４ａ３    出力部
１４ｂ    レンズ部材
１４ｂ１    マイクロレンズ
１４ｃ    検出ゾーン
１５    照明状態表示部
２    顕微鏡本体
２ａ    ベース部
２ａ１    透孔
２ｂ    胴部
２ｃ    アーム部
２０    操作パネル
２０ａ    透孔
２１    主電源
２２    制御基板
２２ａ    制御部
２２ａ１    設定時間記憶部
２２ａ２    時間計測部
２２ａ３    光源制御部
２３    センサ基板
２４    減光部材
３    ステージ
３１    ステージ台
４Ｒ，４Ｌ    焦準部
５    ステージハンドル
６    コンデンサ
７    ランプハウス
７１    光源
８    レボルバ
８０    レボルバ本体
８１    対物レンズ
９    鏡筒
９１    接眼レンズ
１１４    モーションセンサ（検知部）
４０１，５０１，６０１    顕微鏡
４０２    顕微鏡本体
４０３    標本
４０４    ステージ
４０５    焦準部
４０６    対物レンズ
４０７    レボルバ
４０８    鏡筒
４０９    接眼レンズ
４１０    光源
４１１    主電源
４１２    制御部
４１３    観察者検知部
４１４    時間計測部
４１５，４１６，４１７    信号線
４２１    遠距離観察者検知部
５１８    観察操作検知部
５１９    信号線
６０１    顕微鏡
６１２    制御部
６２０    近距離観察者検知部
６２１    遠距離観察者検知部
６２２，６２３    信号線
７２１    遠距離観察者検知部
７２４，７２５，７２６    スイッチ
【図１】
2010027000.tif 000003
【図２】
2010027000.tif 000004
【図３−１】
2010027000.tif 000005
【図３−２】
2010027000.tif 000006
【図４】
2010027000.tif 000007
【図５−１】
2010027000.tif 000008
【図５−２】
2010027000.tif 000009
【図５−３】
2010027000.tif 000010
【図６−１】
2010027000.tif 000011
【図６−２】
2010027000.tif 000012
【図７】
2010027000.tif 000013
【図８】
2010027000.tif 000014
【図９】
2010027000.tif 000015
【図１０】
2010027000.tif 000016
【図１１】
2010027000.tif 000017
【図１２】
2010027000.tif 000018
【図１３】
2010027000.tif 000019
【図１４】
2010027000.tif 000020
【図１５】
2010027000.tif 000021
【図１６】
2010027000.tif 000022
【図１７】
2010027000.tif 000023
【図１８】
2010027000.tif 000024
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
標本を載置するステージを備えた顕微鏡本体と、顕微鏡本体に設けられ、標本を照明するための照明光を射出する光源とを備えた顕微鏡において、
ＯＮ／ＯＦＦ操作可能な主電源と、
顕微鏡本体の前方域または側方域に検知対象が存在するか否かを検知する検知部と、
前記検知部の検知結果に基づいて検知対象が移動したか否かを判定する判定部と、
主電源をＯＮ操作した場合に光源をＯＮし、前記判定部が検知対象が移動したと判定した場合に光源のＯＮ状態を継続する一方、前記判定部が検知対象が移動しないと判定するとともに予め設定された時間が経過した場合に光源をＯＦＦする制御部と
を備えたことを特徴とする顕微鏡。
【請求項２】
前記検知部は、顕微鏡本体の基部を構成するベース部に取り付けられ、顕微鏡本体の前方斜め上方域を検知することを特徴とする請求項１に記載の顕微鏡。
【請求項３】
前記検知部は、顕微鏡本体の基部を構成するベース部の側部に取り付けられ、顕微鏡本体の側方域を検知することを特徴とする請求項１または２に記載の顕微鏡。
【請求項４】
前記制御部は、主電源をＯＮ操作した時に予め設定された時間までの時間の計測を開始し、前記判定部が検知対象が移動したと判定した場合に前記時間の計測を初めから開始することを特徴とする請求項１〜３のいずれか一つに記載の顕微鏡。
【請求項５】
前記制御部は、光源をＯＦＦした場合にそのＯＦＦ状態を維持することを特徴とする請求項１〜４のいずれか一つに記載の顕微鏡。
【請求項６】
前記検知部は、温度差を有する熱源を検知対象とすることを特徴とする請求項１〜５のいずれか一つに記載の顕微鏡。
【請求項７】
前記検知部は、温度差を有する熱源から放射された赤外線が入射するモーションセンサと、モーションセンサの赤外線入射方向前方に設けられ、入射する赤外線を減衰させる減光部材とを備えたことを特徴とする請求項１〜６のいずれか一つに記載の顕微鏡。
【請求項８】
前記モーションセンサは、第１のレンズ部材と、該第１のレンズ部材よりも焦点距離が短く、該第１のレンズよりも視野が広い第２のレンズのいずれか一方を交換可能に装着したことを特徴とする請求項７に記載の顕微鏡。
【請求項９】
標本を照明するための照明光を射出する光源と、
近傍に検知対象が存在するか否かを検知する検知部と、
観察に適した光量の前記照明光を射出するＯＮ状態、前記ＯＮ状態に対して光量が抑制された前記照明光を射出する待機状態、前記照明光を射出しないＯＦＦ状態、のいずれかの状態に前記光源を制御する制御部と、を含み、
前記制御部は、
前記光源が前記ＯＮ状態に制御されている時間を測定する時間計測部を含み、
前記検知部が前記検知対象の存在を検知した場合は、前記光源を前記ＯＮ状態に制御し、
前記検知部が前記検知対象の不在を検知し、且つ、前記光源が第１の時間未満の場合は、前記光源を前記ＯＦＦ状態に制御することを特徴とする顕微鏡。
【請求項１０】
前記制御部は、前記検知部が前記検知対象の不在を検知し、且つ、前記光源が前記第１の時間以上の場合は、前記光源を前記待機状態に制御することを特徴とする請求項９に記載の顕微鏡。
【請求項１１】
前記時間計測部は、さらに、前記光源が前記待機状態に制御されている時間を計測し、
前記制御部は、前記光源が第２の時間以上の間、前記待機状態に制御されている場合、前記光源を前記ＯＦＦ状態に制御することを特徴とする請求項９または１０に記載の顕微鏡。
【請求項１２】
標本を照明するための照明光を射出する光源と、
観察操作により動作する観察部と、
近傍に検知対象が存在するか否かを検知する第１の検知部と、
前記観察部の動作を検知する第２の検知部と、
前記光源を、観察に適した光量の前記照明光を射出するＯＮ状態、前記ＯＮ状態に対して光量が抑制された前記照明光を射出する待機状態、前記照明光を射出しないＯＦＦ状態、のいずれかの状態に制御する制御部と、を含み、
前記制御部は、
前記光源が待機状態に制御されている時間を測定する時間計測部を含み、
前記光源が前記ＯＦＦ状態に制御されているときに、第１の時間未満の間で、且つ前記検知対象の存在を検知した場合は、前記第１の検知部が検知対象を検知している間前記光源を前記待機状態に制御し、
前記光源が前記ＯＦＦ状態に制御されているときに、前記第１の時間内に、前記第２の検知部が前記観察部の動作を検知した場合は、前記光源を、前記ＯＮ状態に制御することを特徴とする顕微鏡。
【請求項１３】
（削除）
【請求項１４】
前記制御部は、前記光源が前記ＯＮ状態から前記待機状態に制御された後に、第２の時間以上の間、前記待機状態に制御されている場合、前記光源を前記ＯＦＦ状態に制御することを特徴とする請求項１２に記載の顕微鏡。
【請求項１５】
前記観察部は、前記標本を配置するためのステージであることを特徴とする請求項１２または１４に記載の顕微鏡。
【請求項１６】
さらに、前記標本を観察するための複数の対物レンズを含み、
前記観察部は、前記対物レンズを切り替えるレボルバであることを特徴とする請求項１２または１４に記載の顕微鏡。
【請求項１７】
前記観察部は、前記標本に合焦するための焦準部であることを特徴とする請求項１２または１４に記載の顕微鏡。
【請求項１８】
前記観察部は、前記照明光を調整するためのフィルタキューブであることを特徴とする請求項１２または１４に記載の顕微鏡。
【請求項１９】
標本を照明するための照明光を射出する光源と、
近傍に検知対象が存在するか否かを検知する第３の検知部と、
前記第３の検知部に比べて広い範囲で検知対象が存在するか否かを検知する第４の検知部と、
前記光源を、観察に適した光量の前記照明光を射出するＯＮ状態、前記ＯＮ状態に対して光量が抑制された前記照明光を射出する待機状態、前記照明光を射出しないＯＦＦ状態、のいずれかの状態に制御する制御部と、を含み、
前記制御部は、
前記第３の検知部及び前記第４の検知部が前記検知対象の存在を検知した場合は、前記光源をＯＮ状態に制御し、
前記第４の検知部のみが前記検知対象の存在を検知した場合は、前記光源を待機状態に制御し、
前記第３の検知部及び前記第４の検知部が前記検知対象の不在を検知した場合は、前記光源をＯＦＦ状態に制御することを特徴とする顕微鏡。
【請求項２０】
標本を照明するための照明光を射出する光源と、
検知対象が存在するか否かを検知する検知部と、
前記光源を、観察に適した光量の前記照明光を射出するＯＮ状態、前記ＯＮ状態に対して光量が抑制された前記照明光を射出する待機状態、前記照明光を射出しないＯＦＦ状態、のいずれかの状態に制御する制御部と、を含む顕微鏡の制御方法であって、
前記検知部が検知対象が移動しないことを検知したとき、前記光源を、前記待機状態を経て前記ＯＦＦ状態に遷移する動作と、
前記検知部が検知対象が移動したことを検知したとき、前記光源を、前記待機状態を経てＯＮ状態に遷移する動作と、
前記検知部が検知対象が移動したことを検知したとき、前記光源を、前記ＯＮ状態に遷移し、その後、一定期間内に前記検知部が検知対象が移動しないことを検知したとき、前記光源を、前記ＯＦＦ状態に遷移する動作と、
の少なくとも１つの動作を行わせることを特徴とする顕微鏡の制御方法。
【請求項２１】
（削除）
【国際調査報告】
2010027000.tif 000025
2010027000.tif 000026
2010027000.tif 000027
2010027000.tif 000028